(57)【要約】【課題】補間前の画像信号に所定の画像信号が重畳される場合において、補間後の画像信号の画質を向上させる。【解決手段】MPU３１は、入力画像信号に対する所定の画像信号の重畳の開始または終了の指令を受け付ける。補間処理部７２は、重畳の開始または終了の指令が受け付けられた場合、所定の画像信号の重畳が開始または終了された入力画像信号の動きベクトルを検出し、その動きベクトルの全体信頼度によらず、動きベクトルに基づいて、補間信号を補間して出力する。本発明は、例えば、テレビジョン受像機に適用することができる。【選択図】図２
2008236678.tif 000002
【特許請求の範囲】
【請求項１】
入力された時系列の画像信号である入力画像信号の動きベクトルを検出する検出手段と、
前記動きベクトルの信頼度の高低を判定する判定手段と、
前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、
前記入力画像信号に対する所定の画像信号の重畳の開始または終了の指令を受け付ける受付手段と
を備え、
前記検出手段は、前記重畳の開始または終了の指令が受け付けられた場合、前記所定の画像信号の重畳が開始または終了された前記入力画像信号の動きベクトルを検出し、
前記補間手段は、前記重畳の開始または終了の指令が受け付けられた場合、前記動きベクトルの信頼度によらず、前記動きベクトルに基づいて、前記入力画像信号間信号を補間して出力する
画像処理装置。
【請求項２】
前記重畳の開始または終了の指令が受け付けられた場合、前記入力画像信号に対する前記所定の画像信号の重畳を開始または終了する重畳手段
をさらに備える請求項１に記載の画像処理装置。
【請求項３】
前記判定手段は、前記動きベクトルの値が閾値より小さい場合、前記信頼度が高いと判定し、前記動きベクトルの値が閾値以上である場合、前記信頼度が低いと判定する
請求項１に記載の画像処理装置。
【請求項４】
前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定する
請求項１に記載の画像処理装置。
【請求項５】
前記受付手段と前記補間手段は、相互にバスを介して接続され、
前記受付手段は、前記重畳の開始または終了の指令を受け付けた場合、前記バスを介して、前記重畳が開始または終了される前に、前記補間手段による補間の抑制の停止を表す停止信号を前記補間手段に送信し、
前記補間手段は、前記受付手段から送信されてくる前記停止信号を受信した場合、前記動きベクトルの信頼度によらず、前記動きベクトルに基づいて、前記入力画像信号間信号を補間して出力する
請求項１に記載の画像処理装置。
【請求項６】
前記受付手段は、前記重畳の開始または終了の指令を受け付けた場合、前記重畳が開始または終了される前に、ポートを前記補間手段による補間の抑制の停止を表す状態にし、
前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力する
請求項１に記載の画像処理装置。
【請求項７】
入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理装置の画像処理方法において、
前記入力画像信号に対する所定の画像信号の重畳の開始または終了の指令を受け付け、
前記重畳の開始または終了の指令が受け付けられた場合、前記所定の画像信号の重畳が開始または終了された前記入力画像信号の動きベクトルを検出し、
前記重畳の開始または終了の指令が受け付けられた場合、前記動きベクトルの信頼度によらず、前記動きベクトルに基づいて、前記入力画像信号間信号を補間して出力する
ステップを含む画像処理方法。
【請求項８】
入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理を、コンピュータに行わせるプログラムにおいて、
前記入力画像信号に対する所定の画像信号の重畳の開始または終了の指令を受け付け、
前記重畳の開始または終了の指令が受け付けられた場合、前記所定の画像信号の重畳が開始または終了された前記入力画像信号の動きベクトルを検出し、
前記重畳の開始または終了の指令が受け付けられた場合、前記動きベクトルの信頼度によらず、前記動きベクトルに基づいて、前記入力画像信号間信号を補間して出力する
ステップを含むプログラム。
【発明の詳細な説明】
【技術分野】
【０００１】
本発明は、画像処理装置および画像処理方法、並びにプログラムに関し、特に、補間前の画像信号に所定の画像信号が重畳される場合において、補間後の画像信号の画質を向上させることができるようにした画像処理装置および画像処理方法、並びにプログラムに関する。
【背景技術】
【０００２】
画像信号のフレームレートを高速にする高フレームレート処理や、画像信号の動きを補償する動き補償処理などに適用される、フレーム間の画像信号を補間するフレーム補間処理は、画像信号の高画質化に欠かせない処理である。
【０００３】
このようなフレーム補間処理としては、入力された時系列の画像信号に含まれる動きベクトルを取得し、その動きベクトルを用いて、時系列の画像信号の間の任意の時刻における画像信号を補間する処理が考案されている（例えば、特許文献１参照）。
【０００４】
また、このようなフレーム補間処理においては、動きベクトルの値が閾値以上である場合、その動きベクトルは異常であると判定し、動きベクトルを用いた補間を行わないことにより、異常な動きベクトルによる補間エラーを抑制することも考えられている。
【０００５】
【特許文献１】特開２００１−４２８３１号公報
【発明の開示】
【発明が解決しようとする課題】
【０００６】
ところで、入力された時系列の画像信号に、チャンネル番号やメニューなどのOSD（On Screen Display）画像の画像信号（以下、OSD画像信号という）が重畳されている場合、フレーム補間処理において、そのOSD画像信号も時系列の画像信号と同様の画像信号として扱われるため、１つ前の画像信号にはなかったOSD画像信号が突然出現した画像信号の動きベクトルを取得することになり、OSD画像信号が重畳された領域における動きベクトルは、異常な動きベクトルとなる。
【０００７】
従って、この場合、OSD画像信号が重畳されていない領域における動きベクトルは、正常な動きベクトルであるにも関わらず、上述した補間エラーを抑制するフレーム補間処理においては、OSD画像信号が重畳された動きベクトルの値が閾値以上となり、動きベクトルを用いた補間が行われないことがある。
【０００８】
その結果、動きベクトルを用いた補間が行われた画像と行われていない画像が混在すると、その画質の差が、画像のガタツキとして視認されてしまう。特に、入力された時系列の画像信号が動画像の画像信号である場合、動きベクトルを用いた補間による滑らかな動きの動画像と、補間のない動画像の画質の差は大きく、視聴者に違和感を与えてしまう。
【０００９】
本発明は、このような状況に鑑みてなされたものであり、補間前の画像信号に所定の画像信号が重畳される場合において、補間後の画像信号の画質を向上させることができるようにするものである。
【課題を解決するための手段】
【００１０】
本発明の一側面の画像処理装置は、入力された時系列の画像信号である入力画像信号の動きベクトルを検出する検出手段と、前記動きベクトルの信頼度の高低を判定する判定手段と、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、前記入力画像信号に対する所定の画像信号の重畳の開始または終了の指令を受け付ける受付手段とを備え、前記検出手段は、前記重畳の開始または終了の指令が受け付けられた場合、前記所定の画像信号の重畳が開始または終了された前記入力画像信号の動きベクトルを検出し、前記補間手段は、前記重畳の開始または終了の指令が受け付けられた場合、前記動きベクトルの信頼度によらず、前記動きベクトルに基づいて、前記入力画像信号間信号を補間して出力する。
【００１１】
本発明の一側面の画像処理装置は、前記重畳の開始または終了の指令が受け付けられた場合、前記入力画像信号に対する前記所定の画像信号の重畳を開始または終了する重畳手段をさらに設けることができる。
【００１２】
本発明の一側面の画像処理装置においては、前記判定手段は、前記動きベクトルの値が閾値より小さい場合、前記信頼度が高いと判定し、前記動きベクトルの値が閾値以上である場合、前記信頼度が低いと判定することができる。
【００１３】
本発明の一側面の画像処理装置においては、前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定することができる。
【００１４】
本発明の一側面の画像処理装置においては、前記受付手段と前記補間手段は、相互にバスを介して接続され、前記受付手段は、前記重畳の開始または終了の指令を受け付けた場合、前記バスを介して、前記重畳が開始または終了される前に、前記補間手段による補間の抑制の停止を表す停止信号を前記補間手段に送信し、前記補間手段は、前記受付手段から送信されてくる前記停止信号を受信した場合、前記動きベクトルの信頼度によらず、前記動きベクトルに基づいて、前記入力画像信号間信号を補間して出力することができる。
【００１５】
本発明の一側面の画像処理装置においては、前記受付手段は、前記重畳の開始または終了の指令を受け付けた場合、前記重畳が開始または終了される前に、ポートを前記補間手段による補間の抑制の停止を表す状態にし、前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力することができる。
【００１６】
本発明の一側面の画像処理方法は、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理装置の画像処理方法において、前記入力画像信号に対する所定の画像信号の重畳の開始または終了の指令を受け付け、前記重畳の開始または終了の指令が受け付けられた場合、前記所定の画像信号の重畳が開始または終了された前記入力画像信号の動きベクトルを検出し、前記重畳の開始または終了の指令が受け付けられた場合、前記動きベクトルの信頼度によらず、前記動きベクトルに基づいて、前記入力画像信号間信号を補間して出力するステップを含む。
【００１７】
本発明の一側面のプログラムは、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理を、コンピュータに行わせるプログラムにおいて、前記入力画像信号に対する所定の画像信号の重畳の開始または終了の指令を受け付け、前記重畳の開始または終了の指令が受け付けられた場合、前記所定の画像信号の重畳が開始または終了された前記入力画像信号の動きベクトルを検出し、前記重畳の開始または終了の指令が受け付けられた場合、前記動きベクトルの信頼度によらず、前記動きベクトルに基づいて、前記入力画像信号間信号を補間して出力するステップを含む。
【００１８】
本発明の一側面においては、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理が行われる。なお、前記入力画像信号に対する所定の画像信号の重畳の開始または終了の指令が受け付けられた場合、前記所定の画像信号の重畳が開始または終了された前記入力画像信号の動きベクトルが検出され、前記重畳の開始または終了の指令が受け付けられた場合、前記動きベクトルの信頼度によらず、前記動きベクトルに基づいて、前記入力画像信号間信号が補間されて出力される。
【発明の効果】
【００１９】
以上のように、本発明の一側面によれば、補間前の画像信号に所定の画像信号が重畳される場合において、補間後の画像信号の画質を向上させることができる。
【発明を実施するための最良の形態】
【００２０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の画像処理装置（例えば、図１の受信装置１１）は、
入力された時系列の画像信号である入力画像信号の動きベクトルを検出する検出手段（例えば、図３の検出部８２）と、
前記動きベクトルの信頼度(例えば、全体信頼度)の高低を判定する判定手段（例えば、図３の判定部８４）と、
前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号（例えば、補間信号）を補間して出力し、前記動きベクトルの信頼度が低い場合、前記前入力画像信号を、そのまま前記入力画像信号間信号として出力する補間手段(例えば、図３の移動部８３および混合部８５)と、
前記入力画像信号に対する所定の画像信号（例えば、OSD画像信号）の重畳の開始または終了の指令を受け付ける受付手段（例えば、図２のMPU３１）と
を備え、
前記検出手段は、前記重畳の開始または終了の指令が受け付けられた場合、前記所定の画像信号の重畳が開始または終了された前記入力画像信号の動きベクトルを検出し、
前記補間手段は、前記重畳の開始または終了の指令が受け付けられた場合、前記動きベクトルの信頼度によらず、前記動きベクトルに基づいて、前記入力画像信号間信号を補間して出力する。
【００２２】
本発明の一側面の画像処理装置は、
前記重畳の開始または終了の指令が受け付けられた場合、前記入力画像信号に対する前記所定の画像信号の重畳を開始または終了する重畳手段（例えば、図２のOSD重畳部７１）
をさらに備える。
【００２３】
本発明の一側面の画像処理装置においては、
前記受付手段と前記補間手段は、相互にバス（例えば、図２のバス３７）を介して接続され、
前記受付手段は、前記重畳の開始または終了の指令を受け付けた場合、前記バスを介して、前記重畳が開始または終了される前に、前記補間手段による補間の抑制の停止を表す停止信号を前記補間手段に送信し、
前記補間手段は、前記受付手段から送信されてくる前記停止信号を受信した場合、前記動きベクトルの信頼度によらず、前記動きベクトルに基づいて、前記入力画像信号間信号を補間して出力する。
【００２４】
本発明の一側面の画像処理装置においては、
前記受付手段は、前記重畳の開始または終了の指令を受け付けた場合、前記重畳が開始または終了される前に、ポート（例えば、図９のポート１３２Ａ）を前記補間手段による補間の抑制の停止を表す状態にし、
前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力する。
【００２５】
本発明の一側面の画像処理方法は、
入力された時系列の画像信号である入力画像信号の動きベクトルを検出し（例えば、図７のステップＳ５３）、前記動きベクトルの信頼度の高低を判定し(例えば、図７のステップＳ５７)、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し（例えば、図７のステップＳ５８，Ｓ５９、およびＳ６２）、前記動きベクトルの信頼度が低い場合、前記前入力画像信号を、そのまま前記入力画像信号間信号として出力する（例えば、図７のステップＳ６０とＳ６１）画像処理装置(例えば、図１の受信装置１１)の画像処理方法において、
前記入力画像信号に対する所定の画像信号の重畳の開始または終了の指令を受け付け(例えば、図５のステップＳ１１)、
前記重畳の開始または終了の指令が受け付けられた場合、前記所定の画像信号の重畳が開始または終了された前記入力画像信号の動きベクトルを検出し（例えば、図７のステップＳ５３）、
前記重畳の開始または終了の指令が受け付けられた場合、前記動きベクトルの信頼度によらず、前記動きベクトルに基づいて、前記入力画像信号間信号を補間して出力する(例えば、図７のステップＳ５８)
ステップを含む。
【００２６】
以下、本発明を適用した具体的な実施の形態について、図面を参照しながら詳細に説明する。
【００２７】
図１は、本発明を適用した受信装置の第１の実施の形態の構成例を示している。
【００２８】
図１の受信装置１１では、MPU（Micro Processing Unit）３１、チューナ３２、デコード処理部３３、表示部３５とスピーカ３６が接続された信号処理部３４、入力部３８、通信部３９、記録部４０、およびドライブ４１が、バス３７を介して互いに接続されており、受信装置１１は、番組の時系列のフレーム単位の画像や音声のデジタル信号（以下、番組信号という）の電波を受信し、その番組の画像や音声を出力する。
【００２９】
MPU３１は、例えば、記録部４０にインストールされたプログラムを実行することにより、入力部３８から入力される指令などに対応して、各種の処理を実行する。例えば、MPU３１は、ユーザの所望のチャンネルの番組を表示させるための指令に対応して、チューナ３２、デコード処理部３３、および信号処理部３４を制御し、そのチャンネルの番組信号に対応する画像を、液晶パネルなどにより構成される表示部３５に表示させるとともに、音声をスピーカ３６から出力させる。また、MPU３１は、OSD画像の表示を開始させるための指令に対応して、デコード処理部３３を制御し、番組信号のうちの画像信号にOSD画像信号を重畳させる。
【００３０】
さらに、MPU３１は、通信部３９によりダウンロードされたプログラムや、ドライブ４１に装着された磁気ディスク、光ディスク、光磁気ディスク、あるいは半導体メモリなどのリムーバブルメディア４２に記録されたプログラムを必要に応じて、記録部４０にインストールする。
【００３１】
チューナ３２は、MPU３１の制御により、図示せぬ放送局から放射される番組信号の電波を受信して復調する。チューナ３２は、復調の結果得られる番組信号をデコード処理部３３に供給する。
【００３２】
デコード処理部３３は、MPU３１の制御により、チューナ３２から供給される番組信号（符号化されている番組信号）を、MPEG2(Moving Picture Experts Group phase 2)などの所定の方式でデコードし、その結果得られる番組信号を信号処理部３４に供給する。
【００３３】
信号処理部３４は、画像処理部５１と音声処理部５２により構成される。画像処理部５１は、デコード処理部３３から供給される番組信号のうちの画像信号に対して、OSD画像信号の重畳、連続する画像信号の中間の時刻における画像信号の補間、D/A（Digital/Analog）変換などの処理を施す。画像処理部５１は、その結果得られるアナログ信号である画像信号を、表示部３５に供給して、表示部３５に画像を表示させる。
【００３４】
音声処理部５２は、デコード処理部３３から供給される番組信号のうちの音声信号に対して、D/A変換などを行い、その結果得られるアナログ信号である音声信号を、スピーカ３６に供給して、外部に音声を出力させる。
【００３５】
入力部３８は、例えば、図示せぬリモートコントローラから送信されてくる指令を受信する受信部、ボタン、キーボード、マウス、スイッチなどから構成され、ユーザからの指令を受け付ける。入力部３８は、ユーザからの指令に応じて、各種の指令を、バス３７を介してMPU３１に供給する。
【００３６】
例えば、入力部３８は、ユーザからの所望のチャンネルの番組の表示の指令に応じて、ユーザの所望のチャンネルの番組を表示させるための指令をMPU３１に供給する。また、入力部３８は、ユーザからのOSD画像の表示の開始または終了の指令に応じて、OSD画像の表示を開始または終了させるための指令をMPU３１に供給する。
【００３７】
通信部３９は、図示せぬインターネットなどのネットワークを介して、各種のデータの送受信を行う。また、通信部３９は、例えば、図示せぬサーバからネットワークを介して所定のプログラムをダウンロードし、MPU３１に供給する。記録部４０は、必要に応じて、MPU３１が実行するプログラムおよび各種のデータを記録する。
【００３８】
ドライブ４１には、必要に応じて、リムーバブルメディア４２が装着される。ドライブ４１は、リムーバブルメディア４２を駆動して、そこに記録されているプログラムやデータなどを読み出し、バス３７を介してMPU３１に供給する。
【００３９】
次に、図２を参照して、図１の受信装置１１における補間について説明する。
【００４０】
図２に示すように、入力部３８は、ユーザからのOSD画像の表示の開始または終了の指令を受け付けると、その指令を、バス３７を介してMPU３１に供給する。
【００４１】
MPU３１は、バス３７を介して、I2C（Inter-Integrated Circuit）通信やUART（Universal Asynchronous Receiver Transmitter）通信などの通信を画像処理部５１と行う。例えば、MPU３１は、入力部３８から供給されるOSD画像の表示の開始の指令に応じて、補間エラーが発生する場合に補間を抑制する保護機能のオフを表す保護機能オフ信号を、画像処理部５１に送信し、その後、OSD画像信号を画像処理部５１に送信する。
【００４２】
また、MPU３１は、入力部３８から供給されるOSD画像の表示の終了の指令に対応して、保護機能オフ信号を画像処理部５１に送信し、その後、OSD画像信号の重畳の停止の指令を画像処理部５１に送信する。さらに、MPU３１は、保護機能のオンを表す保護機能オン信号を送信する。
【００４３】
図２に示すように、デコード処理部３３は、デコーダ６１により構成される。デコーダ６１は、図１のチューナ３２から入力される番組信号をデコードし、その結果得られる画像信号(以下、入力画像信号という)を画像処理部５１に供給する。なお、ここで得られるデコード後の音声信号は、図２の音声処理部５２に供給される。
【００４４】
画像処理部５１は、OSD重畳部７１、補間処理部７２、および表示処理部７３により構成される。OSD重畳部７１は、MPU３１からバス３７を介して供給されるOSD画像信号を、デコーダ６１から供給される入力画像信号に重畳し、重畳後の入力画像信号を補間処理部７２に供給する。また、OSD重畳部７１は、デコーダ６１から供給される入力画像信号を、そのまま補間処理部７２に供給する。
【００４５】
補間処理部７２は、MPU３１からバス３７を介して供給される保護機能オフ信号または保護機能オン信号に応じて、OSD重畳部７１から供給される入力画像信号に対して補間を行う。補間処理部７２は、補間後の画像信号を表示処理部７３に供給する。
【００４６】
表示処理部７３は、補間処理部７２から供給される補間後の画像信号に対してD/A変換を行い、その結果得られるアナログ信号である画像信号を表示部３５に供給して、表示部３５に画像を表示させる。
【００４７】
図３は、図２の補間処理部７２の詳細構成例を示している。
【００４８】
補間処理部７２は、フレームメモリ８１、検出部８２、移動部８３、判定部８４、混合部８５、および選択部８６により構成される。
【００４９】
図２のOSD重畳部７１から供給される入力画像信号は、フレームメモリ８１、検出部８２、混合部８５、および選択部８６に入力される。また、MPU３１からバス３７を介して供給される保護機能オフ信号または保護機能オン信号は、判定部８４に供給される。
【００５０】
フレームメモリ８１は、OSD重畳部７１から入力された入力画像信号をフレーム単位で記憶する。フレームメモリ８１は、前回記憶した入力画像信号、即ち、OSD重畳部７１から入力された入力画像信号の１フレーム前の入力画像信号（以下、前入力画像信号という）を読み出し、検出部８２、移動部８３、および混合部８５に供給する。
【００５１】
検出部８２は、OSD重畳部７１から入力される入力画像信号を、検出対象の入力画像信号(以下、対象入力画像信号という)として、対象入力画像信号と、フレームメモリ８１から供給される対象入力画像信号より１フレーム前の前入力画像信号とに基づいて、対象入力画像信号の動きベクトルを検出する。
【００５２】
例えば、検出部８２は、ブロックマッチング法にしたがって、対象入力画像信号に設定した基準ブロックと、前入力画像信号に設定した、基準ブロックと同一のサイズの参照ブロックとのマッチングを行うことにより、ブロック単位の動きベクトルを検出する。検出部８２は、検出したブロック単位の動きベクトルを、移動部８３と判定部８４に供給する。
【００５３】
移動部８３は、検出部８２から供給されるブロック単位の動きベクトルを用いて、フレームメモリ８１から供給される前入力画像信号をブロック単位で移動し、移動後の前入力画像信号を混合部８５に供給する。
【００５４】
判定部８４は、検出部８２から供給されるブロック単位の動きベクトルに基づいて、ブロック単位の動きベクトルの信頼度（以下、ブロック信頼度という）を決定する。また、判定部８４は、MPU３１から供給される保護機能オフ信号に応じて、保護機能をオフにし、保護機能オン信号に応じて、保護機能をオンにする。即ち、判定部８４は、保護機能のオフ信号に応じて補間の抑制を停止し、保護機能のオン信号に応じて補間の抑制を開始する。
【００５５】
保護機能がオンである場合、判定部８４は、ブロック単位の動きベクトルの値に基づいて、動きベクトル全体の信頼度(以下、全体信頼度という)の高低を判定する。具体的には、判定部８４は、ブロック単位の動きベクトルのうちの少なくとも１つの値が、予め設定された閾値以上である場合、全体信頼度が低いと判定し、ブロック単位の動きベクトルのすべての値が閾値より小さい場合、全体信頼度が高いと判定する。
【００５６】
判定部８４は、全体信頼度が高いと判定した場合、動きベクトルを用いた補間において補間エラーが発生しないと判定し、ブロック信頼度に基づいて、ブロック単位で対象入力画像信号と移動後の前入力画像信号を混合する比率（以下、混合比という）を決定する。判定部８４は、そのブロック単位の混合比を混合部８５に供給する。
【００５７】
一方、判定部８４は、全体信頼度が低いと判定した場合、動きベクトルを用いた補間において、動きベクトルにより補間エラーが発生すると判定し、対象入力画像信号と移動後の前入力画像信号を混合しない旨を表す混合なし情報を混合部８５に供給する。
【００５８】
また、保護機能がオフである場合、判定部８４は、検出部８２から供給される動きベクトルの全体信頼度によらず、ブロック信頼度に基づいて、ブロック単位の混合比を決定し、その混合比を混合部８５に供給する。
【００５９】
混合部８５は、判定部８４から供給される混合比に基づいて、OSD重畳部７１から供給される対象入力画像信号と、移動部８３から供給される前入力画像信号を混合する。混合部８５は、混合後の画像信号を、対象入力画像信号と前入力画像信号の間の中間の時刻における画像信号を補間する補間信号として、選択部８６に供給する。
【００６０】
以上のように、判定部８４により混合比が決定される場合、混合部８５は、その混合比に基づいて、対象入力画像信号と、移動部８３により動きベクトルを用いて移動された前入力画像信号の混合による補間を行う。即ち、保護機能がオンであり、かつ、全体信頼度が高い場合、または、保護機能がオフである場合、移動部８３と混合部８５は、動きベクトルを用いた補間を行う。
【００６１】
また、混合部８５は、判定部８４から供給される混合なし情報に応じて、フレームメモリ８１から供給される前入力画像信号を、そのまま補間信号として選択部８６に供給する。即ち、保護機能がオンであり、かつ、全体信頼度が低い場合、移動部８３と混合部８５は、動きベクトルを用いた補間を行わない。
【００６２】
選択部８６は、OSD重畳部７１から入力される対象入力画像信号と、混合部８５から供給される補間信号のいずれか一方を選択し、所定のタイミングで、補間後の画像信号として出力する。具体的には、選択部８６は、対象入力画像信号と、その次の対象入力画像信号の間に、それらを用いて生成された補間信号を、補間後の画像信号として出力する。その結果、選択部８６から出力される、補間後の画像信号のフレームレートは、入力画像信号のフレームレートの２倍となる。
【００６３】
なお、上述した説明では、判定部８４は、ブロック単位の動きベクトルの値に基づいて、全体信頼度の高低を判定したが、対象入力画像信号が、異常な動きベクトルが検出される可能性の高い、シーンの切り替わり時の画像信号であるかどうかに基づいて、全体信頼度の高低を判定するようにしてもよい。
【００６４】
この場合、例えば、検出部８２は、基準ブロックと参照ブロックの対応する画素どうしの差分に基づいて、対象入力画像信号がシーンの切り替わり時の画像信号であるかどうかを判定する。具体的には、検出部８２は、基準ブロックと参照ブロックの対応する画素どうしの差分のブロック単位の積算値を算出し、判定部８４は、例えば、そのブロック単位の積算値のうちの少なくとも１つの積算値が、予め設定された閾値以上である場合、対象入力画像信号がシーンの切り替わり時の画像信号であると判定し、ブロック単位の積算値のすべてが閾値より小さい場合、対象入力画像信号がシーンの切り替わり時の画像信号ではないと判定する。
【００６５】
そして、検出部８２は、対象入力画像信号がシーンの切り替わり時の画像信号であると判定した場合、全体信頼度が低いと判定し、シーンの切り替わり時の画像信号ではないと判定した場合、全体信頼度が高いと判定する。
【００６６】
次に、図４を参照して、保護機能のオンまたはオフのタイミングについて説明する。なお、図４において、横軸は時刻を表しており、１フレーム期間は1/60秒であるものとする。
【００６７】
図４Ａに示すように、デコーダ６１から供給される、例えば第１の入力画像信号のフレーム期間内の時刻ｔ1において、入力部３８からMPU３１にバス３７を介して、OSD画像の表示の開始の指令が供給されると、第１の入力画像信号の次のフレームの第２の入力画像信号が補間処理部７２に入力される時刻ｔ2において、MPU３７は、保護機能オフ信号を、バス３７を介して補間処理部７２に供給する。
【００６８】
その結果、補間処理部７２の判定部８４は、図４Ｄに示すように、第２の入力画像信号が対象入力画像信号とされるときから、保護機能をオフにする。なお、図４Ｄにおいて、保護機能のオンを「１」で表し、保護機能のオフを「０」で表している。
【００６９】
この後、MPU３１は、バス３７を介してOSD重畳部７１にOSD画像信号を送信する。これにより、図４の例では、図４Ｂに示すように、デコーダ６１から供給される第２の入力画像信号のフレーム期間内の時刻ｔ3から、第２の入力画像信号の次のフレームの第３の入力画像信号のフレーム期間内の時刻ｔ4まで、OSD画像信号が徐々に重畳されていき、時刻ｔ4において、表示対象とする全OSD画像信号の重畳が完了する。そして、時刻ｔ4以降は、OSD画像信号の重畳の停止が開始されるまで、表示対象とする全OSD画像信号が重畳される。なお、OSD画像信号の重畳が開始されてから完了するまでの期間は、OSD画像の画像サイズによって異なる。
【００７０】
ところで、上述したように、検出部８２は、対象入力画像信号と前入力画像信号に基づいて、ブロック単位の動きベクトルを検出する。従って、対象入力画像信号と前入力画像信号のいずれか一方にOSD画像信号が重畳されている場合、および、対象入力画像信号と前入力画像信号にOSD画像信号の異なる一部が重畳されている場合、対象入力画像信号または前入力画像信号に重畳されているOSD画像信号により、閾値以上の動きベクトルが検出され、全体信頼度が低いと判定される可能性がある。
【００７１】
即ち、図４の例では、図４Ｃに示すように、OSD画像信号の重畳が開始された第２の入力画像信号が対象入力画像信号とされてから、全OSD画像信号の重畳が１フレーム前の入力画像信号にも行われている、第２の入力画像信号の３フレーム後の第５の入力画像信号が対象入力画像信号とされるまでの３フレーム期間である期間Ｔ1の間、全体信頼度が低いと判定される可能性がある。
【００７２】
従って、保護機能がオンにされている場合、OSD画像信号が重畳されていない領域における動きベクトルは正常であるにも関わらず、期間Ｔ1の間、動きベクトルを用いた補間が行われない可能性がある。その結果、動きベクトルを用いた補間が行われないと、補間が行われない画像と、その前後の補間が行われた画像の画質の差が、画像のガタツキとして視認されてしまう。特に、入力画像信号が動画像の画像信号である場合、動きベクトルを用いた補間による滑らかな動きの動画像と、補間のない動画像の画質の差は大きいので、視聴者の違和感やショックは大きい。
【００７３】
そこで、MPU３１は、時刻ｔ2に保護機能オフ信号を補間処理部７２に入力し、時刻ｔ2から期間Ｔ1経過後の時刻ｔ5に、保護機能オン信号を補間処理部７２に入力することにより、図４Ｄに示すように、期間Ｔ1の間、保護機能をオフに設定する。これにより、OSD画像信号により全体信頼度が低いと判定される場合であっても、動きベクトルによる補間が行われるので、画像のガタツキを抑制し、補間後の画像の画質を向上させることができる。その結果、視聴者の違和感やショックを抑制することができる。
【００７４】
なお、期間Ｔ1の長さは、OSD重畳部７１の性能や検出部８２の検出方法などにより異なり、それらに応じて設定される。
【００７５】
次に、図４Ａに示すように、デコーダ６１から供給される、例えば第１１の入力画像信号のフレーム期間内の時刻ｔ6において、入力部３８からMPU３１にバス３７を介して、OSD画像の表示の終了の指令が供給されると、OSD画像の表示の開始の場合と同様の処理が行われる。具体的には、第１１の入力画像信号の次のフレームの第１２の入力画像信号が補間処理部７２に入力される時刻ｔ7において、MPU３７は、保護機能オフ信号を、バス３７を介して補間処理部７２に供給する。
【００７６】
その結果、補間処理部７２の判定部８４は、図４Ｄに示すように、第１２の入力画像信号が対象入力画像信号とされるときから、保護機能をオフにする。この後、MPU３１は、バス３７を介してOSD重畳部７１にOSD画像信号の重畳の停止を指令する。これにより、図４の例では、図４Ｂに示すように、デコーダ６１から供給される第１２の入力画像信号のフレーム期間内の時刻ｔ8から、第１２の入力画像信号の次のフレームの第１３の入力画像信号のフレーム期間内の時刻ｔ9まで、OSD画像信号の重畳が徐々に停止されていき、時刻ｔ9において、表示対象とする全OSD画像信号の重畳の停止が完了する。そして、時刻ｔ9以降は、OSD画像信号の重畳が開始されるまで、OSD画像信号は重畳されない。なお、OSD画像信号の重畳の停止が開始されてから完了するまでの期間は、OSD画像の画像サイズによって異なる。
【００７７】
以上のように、デコーダ６１から供給される第１２の入力画像信号のフレーム期間内の時刻ｔ8から重畳の停止が開始され、第１２の入力画像信号の次のフレームの第１３の入力画像信号のフレーム期間内の時刻ｔ9に全OSD画像信号の重畳の停止が完了するので、第１２の入力画像信号が対象入力画像信号とされる時刻ｔ7から、第１２の入力画像信号の３フレーム後の第１５の入力画像信号が対象入力画像信号とされる時刻ｔ10までの３フレーム期間である期間Ｔ1の間、全体信頼度が低いと判定される可能性が高い。
【００７８】
従って、MPU３１は、時刻ｔ7に保護機能オフ信号を補間処理部７２に入力し、時刻ｔ7から期間Ｔ1経過後の時刻ｔ10に、保護機能オン信号を補間処理部７２に入力することにより、図４Ｄに示すように、期間Ｔ1の間、保護機能をオフに設定する。これにより、OSD画像信号により全体信頼度が低いと判定される場合であっても、動きベクトルによる補間が行われるので、補間後の画像の画質を向上させることができる。
【００７９】
次に、図５を参照して、図１の受信装置１１における制御処理について説明する。この制御処理は、例えば、受信装置１１の電源がオンにされたとき、開始される。
【００８０】
ステップＳ１１において、MPU３１は、入力部３８からOSD画像の表示の開始または終了が指令されたかどうかを判定する。ステップＳ１１で、OSD画像の表示の開始または終了が指令されていないと判定された場合、処理はステップＳ１２乃至Ｓ１９をスキップし、ステップＳ２０に進む。
【００８１】
一方、ステップＳ１１において、OSD画像の表示の開始または終了が指令されたと判定された場合、ステップＳ１２において、MPU３１は、OSD画像の表示の開始または終了が指令されたときに補間処理部７２に入力される入力画像信号の次のフレームの入力画像信号が補間処理部７２に入力されるときに、保護機能オフ信号を、バス３７を介して補間処理部７２に送信する。
【００８２】
ステップＳ１３において、MPU３１は、送信が完了したかどうか、即ち、ステップＳ１２の送信に対応して補間処理部７２の判定部８４から正常に受信した旨を表す情報(例えば、ACK（Acknowledgement）など)が送信されてきたかどうかを判定する。
【００８３】
ステップＳ１３において、送信が完了していないと判定された場合、処理はステップＳ１２に戻り、ステップＳ１３で送信が完了したと判定されるまで、保護機能オフ信号を繰り返して送信する。ステップＳ１３において、送信が完了したと判定された場合、ステップＳ１４において、MPU３１は、ステップＳ１１で判定された指令が、OSD画像の表示の開始の指令であるかどうかを判定する。
【００８４】
ステップＳ１４において、OSD画像の表示の開始の指令であると判定された場合、ステップＳ１５において、MPU３１は、バス３７を介してOSD画像信号をOSD重畳部７１に送信する。一方、OSD画像の表示の開始の指令ではない、即ちOSD画像の表示の終了の指令であると判定された場合、ステップＳ１６において、MPU３１は、バス３７を介してOSD画像信号の重畳の停止の指令をOSD重畳部７１に送信する。
【００８５】
以上のように、MPU３１は、送信の完了を確認した後OSD画像信号またはOSD画像の重畳の停止の指令を送信するので、OSD画像信号またはOSD画像の重畳の停止の指令の前に保護機能オフ信号を確実に送信することができる。
【００８６】
ステップＳ１５またはステップＳ１６の処理後、ステップＳ１７において、MPU３１は、ステップＳ１２で保護機能オフ信号を送信してから、所定の期間Ｔ1が経過したかどうかを判定する。ステップＳ１７で、所定の期間Ｔ1が経過していないと判定された場合、MPU３１は、所定の期間Ｔ1が経過するまで待機する。また、ステップＳ１７で、所定の期間Ｔ1が経過したと判定された場合、ステップＳ１８において、MPU３１は、保護機能オン信号を、バス３７を介して補間処理部７２に送信する。
【００８７】
ステップＳ１９において、MPU３１は、送信が完了したかどうか、即ち、ステップＳ１８の送信に対応して補間処理部７２の判定部８４から正常に受信した旨を表す情報が送信されてきたかどうかを判定する。送信が完了していないと判定された場合、処理はステップＳ１８に戻り、ステップＳ１９で送信が完了したと判定されるまで、保護機能オン信号を繰り返して送信する。
【００８８】
ステップＳ１９において、送信が完了したと判定された場合、ステップＳ２０において、MPU３１は、処理を終了するかどうか、例えば、入力部３８から電源のオフが指令されたかどうかを判定する。ステップＳ２０で処理を終了しないと判定された場合、処理はステップＳ１１に戻り、上述した処理が繰り返される。一方、ステップＳ２０で処理を終了すると判定された場合、処理は終了する。
【００８９】
次に、図６を参照して、図１の受信装置１１における画像処理について説明する。この画像処理は、例えば、チューナ３２から番組信号がデコード処理部３３に入力されたとき、開始される。
【００９０】
ステップＳ２１において、デコーダ６１は、番組信号をデコードし、その結果得られる画像信号を入力画像信号として画像処理部５１のOSD重畳部７１に供給し、音声信号を音声処理部５２に供給する。ステップＳ２２において、OSD重畳部７１は、OSD画像信号の重畳が既に開始されているかどうかを判定し、OSD画像信号の重畳がまだ開始されていないと判定した場合、処理はステップＳ２３に進む。
【００９１】
ステップＳ２３において、OSD重畳部７１は、OSD画像信号の重畳を開始するかどうか、即ち、図５のステップＳ１５でMPU３１からOSD画像信号が送信されてきたかどうかを判定する。ステップＳ２３でOSD画像信号の重畳を開始すると判定された場合、ステップＳ２４において、OSD重畳部７１は、デコーダ６１から供給される入力画像信号に受信済みのOSD画像信号を重畳し、重畳後の入力画像信号を補間処理部７２に供給する。
【００９２】
一方、ステップＳ２２でOSD画像信号の重畳が開始されていると判定された場合、ステップＳ２５において、OSD重畳部７１は、OSD画像信号の重畳を停止するかどうか、即ち図５のステップＳ１６でOSD画像信号の重畳の停止の指令がMPU３１から送信されてきたかどうかを判定する。ステップＳ２５で、OSD画像信号の重畳を停止すると判定された場合、ステップＳ２６において、OSD重畳部７１は、入力画像信号へのOSD画像信号の重畳を徐々に停止する。OSD重畳部７１は、OSD画像信号の重畳が徐々に停止される入力画像信号を補間処理部７２に供給する。
【００９３】
また、ステップＳ２５において、OSD画像信号の重畳を停止しないと判定された場合、ステップＳ２４において、OSD重畳部７１は、上述したように、入力画像信号に受信済みのOSD画像信号を重畳する。
【００９４】
さらに、ステップＳ２３でOSD画像信号の重畳を開始しないと判定された場合、ステップＳ２７において、OSD重畳部７１は、OSD画像信号の重畳の停止が完了しているかどうか、即ち前回の入力画像信号にOSD画像信号が全く重畳されていなかったかどうかを判定する。
【００９５】
ステップＳ２７において、OSD画像信号の重畳の終了が完了していないと判定された場合、ステップＳ２６において、OSD重畳部７１は、上述したように、入力画像信号へのOSD画像信号の重畳を徐々に停止する。
【００９６】
一方、ステップＳ２７でOSD画像信号の重畳の停止が完了したと判定された場合、ステップＳ２８において、OSD重畳部７１は、入力画像信号をそのまま補間処理部７２に供給する。
【００９７】
ステップＳ２４，Ｓ２６、またはＳ２８の処理後、ステップＳ２９において、判定部８４は、図５のステップＳ１２でMPU３１により送信されてくる保護機能オフ信号が受信されたかどうかを判定する。ステップＳ２９で、保護機能オフ信号が受信されたと判定された場合、ステップＳ３０において、判定部８４は保護機能をオフにし、処理はステップＳ３３に進む。
【００９８】
また、ステップＳ２９において、保護機能オフ信号が受信されていないと判定された場合、ステップＳ３１において、判定部８４は、図５のステップＳ１８でMPU３１により送信されてきた保護機能オン信号が受信されたかどうかを判定する。ステップＳ３１で、保護機能オン信号が受信されたと判定された場合、ステップＳ３２において、判定部８４は保護機能をオンにし、処理はステップＳ３３に進む。一方、ステップＳ３１で保護機能オン信号が受信されていないと判定された場合、保護機能は変更されず、処理はステップＳ３３に進む。
【００９９】
ステップＳ３３において、補間処理部７２は、入力画像信号の補間を行う補間処理を行う。この補間処理の詳細は、後述する図７を参照して説明する。ステップＳ３４において、表示処理部７３は、補間処理部７２から供給される補間後の画像信号に対してD/A変換を行い、その結果得られるアナログ信号である画像信号を表示部３５に供給して、表示部３５にフレーム単位の画像を表示させる。そして処理は終了する。
【０１００】
次に、図７を参照して、図６のステップＳ３３の補間処理の詳細について説明する。
【０１０１】
ステップＳ５０において、補間処理部７２の選択部８６は、OSD重畳部７１から供給される入力画像信号を、補間後の画像信号として出力する。ステップＳ５１において、フレームメモリ８１は、OSD重畳部７１から供給される入力画像信号を記憶する。ステップＳ５２において、フレームメモリ８１は、既に記憶されている前入力画像信号を読み出し、検出部８２、移動部８３、および混合部８５に供給する。
【０１０２】
ステップＳ５３において、検出部８２は、OSD重畳部７１から供給される入力画像信号を対象入力画像信号として、対象入力画像信号と、フレームメモリ８１から供給される前入力画像信号に基づいて、対象入力画像信号のブロック単位の動きベクトルを検出する。
【０１０３】
ステップＳ５４において、移動部８３は、検出部８２から供給されるブロック単位の動きベクトルに基づいて、フレームメモリ８１から供給される前入力画像信号をブロック単位で移動し、移動後の前入力画像信号を混合部８５に供給する。ステップＳ５５において、判定部８４は、検出部８２から供給されるブロック単位の動きベクトルに基づいて、ブロック信頼度を決定する。
【０１０４】
ステップＳ５６において、判定部８４は、保護機能がオンにされているかどうかを判定し、保護機能がオンにされていると判定した場合、ステップＳ５７において、判定部８４は、ブロック単位の動きベクトルの値に基づいて、全体信頼度が高いかどうかを判定する。
【０１０５】
ステップＳ５７において、全体信頼度が高いと判定された場合、ステップＳ５８において、判定部８４は、ステップＳ５５で決定されたブロック信頼度に基づいて、ブロック単位の混合比を決定する。
【０１０６】
例えば、ブロック信頼度が高い場合、判定部８４は、移動後の前入力画像信号を混合する比率が高くなるようにブロック単位の混合比を決定し、ブロック信頼度が低い場合、移動後の前入力画像信号を混合する比率が低くなるようにブロック単位の混合比を決定する。判定部８４は、決定したブロック単位の混合比を混合部８５に供給する。
【０１０７】
また、ステップＳ５６で保護機能がオンにされていない、即ち保護機能がオフにされていると判定された場合、ステップＳ５７の処理をスキップし、ステップＳ５８において、判定部８４は、上述したように、ブロック信頼度に基づいて混合比を決定する。即ち、保護機能がオフにされている場合、判定部８４は、全体信頼度の高低によらず、ブロック信頼度に基づいて混合比を決定する。判定部８４は、決定した混合比を混合部８５に供給する。
【０１０８】
ステップＳ５９において、混合部８５は、判定部８４から供給される混合比に基づいて、OSD重畳部７１から供給される対象入力画像信号と、移動部８３から供給される移動後の前入力画像信号を混合する。混合部８５は、混合後の画像信号を補間信号として、選択部８６に供給する。
【０１０９】
一方、ステップＳ５７で全体信頼度が低いと判定された場合、ステップＳ６０において、判定部８４は、混合なし情報を混合部８５に供給する。ステップＳ６１において、混合部８５は、判定部８４からの混合なし情報に応じて、フレームメモリ８１から供給される前入力画像信号を、そのまま補間信号として選択部８６に供給する。
【０１１０】
ステップＳ６２において、選択部８６は、混合部８５から供給される補間信号を、補間後の画像信号として出力し、処理は図６のステップＳ３３に戻る。
【０１１１】
なお、上述した説明では、MPU３１が、保護機能オフ信号の後に、OSD画像信号を送信したが、保護機能オフ信号に応じて補間処理部７２の判定部８４が保護機能をオフにした後に、OSD画像信号に基づいてOSD重畳部７１がOSD画像信号の重畳を開始することができれば、保護機能オフ信号の前に、OSD画像信号を送信してもよい。
【０１１２】
図８は、本発明を適用した受信装置の第２の実施の形態の構成例を示している。
【０１１３】
図８の受信装置１０１では、チューナ３２、入力部３８、通信部３９、記録部４０、ドライブ４１、MPU１１１、デコード処理部１１２、表示部３５とスピーカ３６が接続された信号処理部１１３が、バス３７を介して互いに接続されており、デコード処理部１１２が重畳を行う。なお、図１と同一のものには同一の符号を付してあり、説明は繰り返しになるので省略する。
【０１１４】
MPU１１１のポートは、デコード処理部１１２のポートと接続され、MPU１１１は、ポートを制御することにより、デコード処理部１１２と通信を行う。MPU１１１は、記録部４０にインストールされたプログラムを実行することにより、入力部３８から入力される指令などに対応して、各種の処理を実行する。例えば、MPU１１１は、デコード処理部１１２のポートの状態に応じて、保護機能オフ信号を、バス３７を介して信号処理部１１３の画像処理部１２１に供給する。また、MPU１１１は、保護機能オン信号を、バス３７を介して画像処理部１２１に供給する。
【０１１５】
さらに、MPU１１１は、図１のMPU３１と同様に、ユーザの所望のチャンネルの番組を表示させるための指令に対応して、チューナ３２、デコード処理部１１２、および信号処理部１１３を制御し、そのチャンネルの番組信号に対応する画像を表示部３５に表示させるとともに、音声をスピーカ３６から出力させる。
【０１１６】
また、MPU１１１は、MPU３１と同様に、通信部３９によりダウンロードされたプログラムや、ドライブ４１に装着されたリムーバブルメディア４２に記録されたプログラムを必要に応じて、記録部４０にインストールする。
【０１１７】
デコード処理部１１２は、図１のデコード処理部３３と同様に、MPU１１１の制御により、チューナ３２から供給される番組信号を、MPEG2などの所定の方式でデコードする。また、デコード処理部１１２は、入力部３８から供給されるOSD画像の表示の開始または終了の指令に対応して、ポートを制御することにより、ポートの状態を、通常状態から保護機能のオフを表す状態（以下、保護機能オフ状態という）に変更する。その後、デコード処理部１１２は、デコード後の番組信号のうちの画像信号である入力画像信号にOSD画像信号を重畳して、画像処理部１２１に供給する。
【０１１８】
以上のように、デコード処理部１１２は、ポートの状態を変更することにより保護機能のオフを表す情報を送信するので、送信の完了を確認する必要がない。従って、デコード処理部１１２は、送信の完了の確認が必要となるバス３７を介した送信を行う場合に比べて、保護機能のオフを表す情報を送信した後、即座にOSD画像信号の重畳を開始することができる。その結果、OSD表示のレスポンスを速くすることができる。
【０１１９】
信号処理部１１３は、音声処理部５２と画像処理部１２１により構成される。画像処理部１２１は、デコード処理部１１２から供給される入力画像信号に対して、連続する画像信号の中間の時刻における画像信号の補間、D/A変換などの処理を施す。画像処理部１２１は、その結果得られるアナログ信号である画像信号を、表示部３５に供給して、表示部３５に画像を表示させる。
【０１２０】
次に、図９を参照して、図８の受信装置１０１における補間について説明する。
【０１２１】
なお、図９において、図２と同一のものには同一の符号を付してあり、説明は繰り返しになるので、適宜省略する。
【０１２２】
図９に示すように、入力部３８は、ユーザからOSD画像の表示の開始または終了の指令を受け付けると、その指令を、バス３７を介してデコード処理部１１２に供給する。
【０１２３】
図９のデコード処理部１１２は、デコーダ６１、OSD重畳部１３１、およびCPU（Central Processing Unit）１３２により構成される。OSD重畳部１３１は、OSD画像信号を記憶している。OSD重畳部１３１は、CPU１３２から供給されるOSD画像信号の重畳の開始の指令に応じて、記憶しているOSD画像信号を、デコーダ６１から供給される入力画像信号に重畳し、重畳後の入力画像信号を補間処理部７２に供給する。また、OSD重畳部１３１は、CPU１３２から供給されるOSD画像信号の重畳の停止の指令に応じて、デコーダ６１から供給される入力画像信号へのOSD画像信号の重畳を停止し、デコーダ６１から供給される入力画像信号をそのまま補間処理部７２に供給する。
【０１２４】
CPU１３２は、MPU１３１のポート１４１Ａ(後述する)と接続されるポート１３２Ａを有している。CPU１３２は、入力部３８からバス３７を介して供給される、OSD画像の表示の開始の指令に応じて、ポート１３２Ａを制御し、ポート１３２Ａの状態を保護機能オフ状態に変更し、その後、OSD画像信号の重畳の開始の指令をOSD重畳部１３１に供給する。また、CPU１３２は、入力部３８から供給されるOSD画像の表示の終了の指令に応じて、ポート１３２Ａの状態を保護機能オフ状態に変更し、その後、OSD画像信号の重畳の停止の指令をOSD重畳部１３１に供給する。
【０１２５】
図９のMPU１１１では、ポート１４１Ａを有するポート部１４１、バスI/F（Interface）１４２、およびCPU１４３が、バスコンバータ１４４を介して接続されている。ポート部１４１は、CPU１４３の制御により、CPU１３２のポート１３２Ａと接続されるポート１４１Ａの状態を確認する。ポート部１４１は、そのポート１４１Ａの状態を表す信号を、ポート１３２Ａの状態を表す状態信号として、バスコンバータ１４４を介して、CPU１４３に供給する。
【０１２６】
バスI/F１４２は、バス３７を介して画像処理部１２１と通信を行う。例えば、バスI/F１４２は、CPU１４３からバスコンバータ１４４を介して供給される保護機能オフ信号または保護機能オン信号を、バス３７を介して画像処理部１２１の補間処理部７２に送信する。
【０１２７】
CPU１４３は、所定のプログラムにしたがって、ポート部１４１とバスI/F１４２のそれぞれを制御する。例えば、CPU１４３は、所定の間隔で、ポート部１４１のポート１４１Ａの状態を確認するための制御信号を、バスコンバータ１４４を介してポート部１４１に送信することにより、ポーリングを行う。また、CPU１４３は、ポーリングの結果、ポート部１４１からバスコンバータ１４４を介して送信されてくる状態信号に応じて、保護機能オフ信号を、バスコンバータ１４４を介してバスI/F１４２に供給する。また、CPU１４３は、保護機能オン信号をバスI/F１４２に供給する。
【０１２８】
バスコンバータ１４４は、ポート部１４１、バスI/F１４２、およびCPU１４３とバスを介して接続されており、それらの間でのバスを介した通信を制御する。
【０１２９】
画像処理部１２１は、補間処理部７２と表示処理部７３により構成される。補間処理部７２は、MPU３１のバスI/F１４２からバス３７を介して供給される保護機能オフ信号または保護機能オン信号に応じて、デコード処理部１１２のOSD重畳部１３１から供給される入力画像信号に対して補間を行う。補間処理部７２は、補間後の画像信号を表示処理部７３に供給する。表示処理部７３は、図２の場合と同様に、補間処理部７２から供給される補間後の画像信号に基づいて、表示部３５に画像を表示させる。
【０１３０】
次に、図１０を参照して、保護機能のオンまたはオフのタイミングについて説明する。なお、図１０において、横軸は時刻を表しており、１フレーム期間は1/60秒であるものとする。
【０１３１】
図１０Ａに示すように、デコーダ６１から供給される、例えば第１の入力画像信号のフレーム期間内の時刻ｔ21において、入力部３８からデコード処理部１１２のCPU１３２にバス３７を介して、OSD画像の表示の開始の指令が供給されると、図１０Ｃに示すように、CPU１３２は、所定の期間の間、ポート１３２Ａを保護機能オフ状態にする。
【０１３２】
なお、図１０の例では、MPU１１１のCPU１４３によるポーリングの間隔が10μsであるものとする。この場合、ポート１３２Ａの保護機能オフ状態をポート部１４１が確認するためには、少なくとも20μsの間ポート１３２Ａの状態を維持する必要がある。そこで、図１０の例では、割り込み処理などの時間も考慮し、CPU１３２は、30μsの間、ポート１３２Ａを保護機能オフ状態にするが、保護機能オフ状態にする期間は、ポート１３２Ａの保護機能オフ状態をポート部１４１が確認可能な時間（図１０の例では20μs以上）であれば、30μsに限定されない。
【０１３３】
次に、MPU１１１のCPU１４３は、ポート部１４１を制御して10μs間隔でポーリングを行うことにより、ポート部１４１から保護機能オフ状態を表す状態信号を取得する。CPU１４３は、その保護機能オフ状態を表す状態信号に応じて、第１の入力画像信号の次のフレームの第２の入力画像信号が補間処理部７２に入力される時刻ｔ22において、保護機能オフ信号を補間処理部７２の判定部８４に送信する。
【０１３４】
その結果、補間処理部７２の判定部８４は、図１０Ｅに示すように、第２の入力画像信号が対象入力画像信号とされるときから、保護機能をオフにする。なお、図１０Ｅにおいて、保護機能のオンを「１」で表し、保護機能のオフを「０」で表している。
【０１３５】
ポート１３２Ａの状態を保護機能オフ状態に変更してから所定の期間Ｔ2経過後に、CPU１３２は、OSD重畳部１３１にOSD画像信号の重畳の開始の指令を供給する。これにより、図１０の例では、デコーダ６１から供給される第２の入力画像信号のフレーム期間内の時刻ｔ23から、OSD画像信号の重畳が開始される。
【０１３６】
上述したように、補間処理部７２の検出部８２は、対象入力画像信号と前入力画像信号に基づいて、ブロック単位の動きベクトルを検出するので、図１０Ｄに示すように、OSD画像信号の重畳が開始された第２の入力画像信号が対象入力画像信号とされる時刻ｔ22から、OSD画像信号の重畳が１フレーム前の入力画像信号にもフレーム期間の最初から行われている、第２の入力画像信号の２フレーム後の第４の入力画像信号が対象入力画像信号とされる時刻ｔ24までの２フレーム期間である期間Ｔ3の間、全体信頼度が低いと判定される可能性がある。
【０１３７】
従って、MPU１１１のCPU１４３は、時刻ｔ22に保護機能オフ信号を補間処理部７２に入力し、時刻ｔ22から期間Ｔ3経過後の時刻ｔ24に、保護機能オン信号を補間処理部７２に入力することにより、図１０Ｅに示すように、期間Ｔ3の間、保護機能をオフに設定する。これにより、OSD画像信号により全体信頼度が低いと判定される場合であっても、動きベクトルによる補間が行われるので、画像のガタツキを抑制し、補間後の画像の画質を向上させることができる。
【０１３８】
なお、期間Ｔ3の長さは、期間Ｔ1と同様に、OSD重畳部１３１の性能や検出部８２の検出方法などにより異なり、それらに応じて設定される。
【０１３９】
次に、図１０Ａに示すように、デコーダ６１から供給される、例えば第１１の入力画像信号のフレーム期間内の時刻ｔ25において、入力部３８からCPU１３２にバス３７を介して、OSD画像の表示の終了の指令が供給されると、OSD画像の表示の開始の場合と同様の処理が行われる。具体的には、図１０Ｃに示すように、CPU１３２は、30μsの間、ポート１３２Ａを保護機能オフ状態にする。
【０１４０】
その結果、CPU１４３による10μs間隔でのポーリングにより、ポート１３２Ａの保護機能オフ状態が確認され、これにより、補間処理部７２の判定部８４は、図１０Ｅに示すように、第１１の入力画像信号の次のフレームの第１２の入力画像信号が対象入力画像信号とされる時刻ｔ26から、保護機能をオフにする。
【０１４１】
ポート１３２Ａの状態を保護機能オフ状態に変更してから所定の期間Ｔ2経過後に、CPU１３２は、OSD重畳部１３１にOSD画像信号の重畳の停止の指令を供給する。これにより、図１０の例では、デコーダ６１から供給される第１２の入力画像信号のフレーム期間内の時刻ｔ27から、OSD画像信号の重畳が停止される。
【０１４２】
以上のように、デコーダ６１から供給される第１２の入力画像信号のフレーム期間内の時刻ｔ27に重畳が停止されるので、第１２の入力画像信号が対象入力画像信号とされる時刻ｔ27から、第１２の入力画像信号の２フレーム後の第１４の入力画像信号が対象入力画像信号とされる時刻ｔ28までの２フレーム期間である期間Ｔ3の間、全体信頼度が低いと判定される可能性が高い。
【０１４３】
従って、CPU１４３は、時刻ｔ26に保護機能オフ信号を補間処理部７２に入力し、時刻ｔ26から期間Ｔ3経過後の時刻ｔ28に、保護機能オン信号を補間処理部７２に入力することにより、図１０Ｅに示すように、期間Ｔ3の間、保護機能をオフに設定する。これにより、OSD画像信号により全体信頼度が低いと判定される場合であっても、動きベクトルによる補間が行われるので、補間後の画像の画質を向上させることができる。
【０１４４】
次に、図１１を参照して、図８の受信装置１０１における制御処理について説明する。この制御処理は、例えば、受信装置１０１の電源がオンにされたとき、開始される。
【０１４５】
ステップＳ１１１において、デコード処理部１１２のCPU１３２は、入力部３８からOSD画像の表示の開始または終了が指令されたかどうかを判定する。ステップＳ１１１で、OSD画像の表示の開始または終了が指令されていないと判定された場合、処理はステップＳ１１２乃至Ｓ１１７をスキップし、ステップＳ１１８に進む。
【０１４６】
一方、ステップＳ１１１において、OSD画像の表示の開始または終了が指令されたと判定された場合、ステップＳ１１２において、CPU１３２は、ポート１３２Ａの状態を保護機能オフ状態にする。ステップＳ１１３において、CPU１３２は、ステップＳ１１１で判定された指令が、OSD画像の表示の開始の指令であるかどうかを判定する。
【０１４７】
ステップＳ１１３において、OSD画像の表示の開始の指令であると判定された場合、ステップＳ１１４において、CPU１３２は、OSD画像信号の重畳の開始をOSD重畳部１３１に指令する。一方、OSD画像の表示の開始の指令ではない、即ちOSD画像の表示の終了の指令であると判定された場合、ステップＳ１１５において、CPU１３２は、OSD画像信号の重畳の停止をOSD重畳部１３１に指令する。
【０１４８】
ステップＳ１１４またはステップＳ１１５の処理後、ステップＳ１１６において、CPU１３２は、ステップＳ１１２でポート１３２Ａの状態を保護機能オフ状態にしてから、所定の期間（図１０の例では、30μs）が経過したかどうかを判定する。ステップＳ１１６で、所定の期間が経過していないと判定された場合、CPU１３２は、所定の期間が経過するまで待機する。また、ステップＳ１１６で、所定の期間が経過したと判定された場合、ステップＳ１１７において、CPU１３２は、ポート１３２Ａの状態を通常状態にする。
【０１４９】
ステップＳ１１８において、CPU１３２は、処理を終了するかどうか、例えば、入力部３８から電源のオフが指令されたかどうかを判定する。ステップＳ１１８で処理を終了しないと判定された場合、処理はステップＳ１１１に戻り、上述した処理が繰り返される。一方、ステップＳ１１８で処理を終了すると判定された場合、処理は終了する。
【０１５０】
次に、図１２を参照して、図９のMPU１１１のCPU１４３におけるポーリング処理について説明する。このポーリング処理は、所定の間隔(図１０の例では、10μs)で開始される。
【０１５１】
ステップＳ１２１において、ポート部１４１は、CPU１４３の制御により、CPU１３２のポート１３２Ａと接続されるポート１４１Ａの状態を確認する。ポート部１４１は、その状態を表す状態信号を、ポート１３２Ａの状態を表す状態信号として、バスコンバータ１４４を介してCPU１４３に供給する。
【０１５２】
ステップＳ１２２において、CPU１４３は、ポート部１４１から供給される状態信号が、保護機能オフ状態を表す信号であるかどうかを判定し、保護機能オフ状態を表す信号であると判定した場合、保護機能オフ信号を、バスコンバータ１４４を介してバスI/F１４２に供給する。
【０１５３】
ステップＳ１２３において、バスI/F１４２は、保護機能オフ信号を、バス３７を介して補間処理部７２に送信する。ステップＳ１２４において、CPU１４３は、ステップＳ１２３で保護機能オフ信号が送信されてから、所定の期間Ｔ3が経過したかどうかを判定し、所定の期間Ｔ3が経過していないと判定した場合、所定の期間Ｔ3が経過するまで待機する。
【０１５４】
ステップＳ１２４で、所定の期間Ｔ3が経過したと判定された場合、CPU１４３は、保護機能オン信号を、バスコンバータ１４４を介してバスI/F１４２に供給する。ステップＳ１２５において、バスI/F１４２は、保護機能オン信号を、バス３７を介して補間処理部７２に送信し、処理を終了する。
【０１５５】
一方、ステップＳ１２２において、状態信号が保護機能オフ状態を表す信号ではない、即ち、状態信号が通常状態を表す信号であると判定された場合、処理は終了する。
【０１５６】
次に、図１３を参照して、図８の受信装置１０１における画像処理について説明する。この画像処理は、例えば、番組信号がデコード処理部１１２に入力されたとき、開始される。
【０１５７】
ステップＳ１３１において、デコーダ６１は、番組信号をデコードし、その結果得られる画像信号を入力画像信号としてOSD重畳部１３１に供給し、音声信号を音声処理部５２に供給する。ステップＳ１３２において、OSD重畳部１３１は、OSD画像信号の重畳が既に開始されているかどうかを判定し、OSD画像信号の重畳が開始されていないと判定した場合、処理はステップＳ１３３に進む。
【０１５８】
ステップＳ１３３において、OSD重畳部１３１は、OSD画像信号の重畳を開始するかどうか、即ち、図１１のステップＳ１１４でCPU１３２によりOSD画像信号の重畳の開始が指令されたかどうかを判定する。ステップＳ１３３でOSD画像信号の重畳を開始すると判定された場合、ステップＳ１３４において、OSD重畳部１３１は、入力画像信号にOSD画像信号を重畳し、重畳後の入力画像信号を画像処理部１２１の補間処理部７２に供給する。そして、処理はステップＳ１３６に進む。
【０１５９】
一方、ステップＳ１３２でOSD画像信号の重畳が開始されていると判定された場合、ステップＳ１３５において、OSD重畳部１３１は、OSD画像信号の重畳を停止するかどうか、即ち図１１のステップＳ１１５でCPU１３２によりOSD画像信号の重畳の停止が指令されたかどうかを判定する。ステップＳ１３５で、OSD画像信号の重畳を停止すると判定された場合、処理はステップＳ１３６に進む。
【０１６０】
また、ステップＳ１３５において、OSD画像信号の重畳を終了しないと判定された場合、ステップＳ１３４において、OSD重畳部１３１は、上述したように、入力画像信号にOSD画像信号を重畳する。
【０１６１】
さらに、ステップＳ１３３でOSD画像信号の重畳を開始しないと判定された場合、処理はステップＳ１３６に進む。ステップＳ１３６において、判定部８４は、図１２のステップＳ１２３でバスI/F１４２によりバス３７を介して送信されてくる保護機能オフ信号が受信されたかどうかを判定する。ステップＳ１３６で、保護機能オフ信号が受信されたと判定された場合、ステップＳ１３７において、判定部８４は保護機能をオフにし、処理はステップＳ１４０に進む。
【０１６２】
また、ステップＳ１３６において、保護機能オフ信号が受信されていないと判定された場合、ステップＳ１３８において、判定部８４は、図１２のステップＳ１２５でバスI/F１４２により送信されてくる保護機能オン信号が受信されたかどうかを判定する。ステップＳ１３８で、保護機能オン信号が受信されたと判定された場合、ステップＳ１３９において、判定部８４は保護機能をオンにし、処理はステップＳ１４０に進む。一方、ステップＳ１３８で保護機能オン信号が受信されていないと判定された場合、保護機能を変更せず、処理はステップＳ１４０に進む。
【０１６３】
ステップＳ１４０において、補間処理部７２は、図７の補間処理を行う。ステップＳ１４１において、表示処理部７３は、補間処理部７２から供給される補間後の画像信号に対してD/A変換を行い、その結果得られるアナログ信号である画像信号を表示部３５に供給して、表示部３５にフレーム単位の画像を表示させる。そして処理は終了する。
【０１６４】
図１４は、本発明を適用した受信装置の第３の実施の形態の構成例を示している。
【０１６５】
図１４の受信装置２０１では、チューナ３２、デコード処理部３３、入力部３８、記録部４０、ドライブ４１、MPU２１１、表示部３５とスピーカ３６が接続された信号処理部２１２、および通信部２１３が、バス３７を介して互いに接続されており、受信装置２０１に接続された外部の記録再生装置２０２が重畳を行う。なお、図１や図８と同一のものには同一の符号を付してあり、説明は繰り返しになるので省略する。
【０１６６】
MPU２１１は、例えば、記録部４０にインストールされたプログラムを実行することにより、入力部３８から入力される指令などに対応して、各種の処理を実行する。例えば、MPU２１１は、MPU３１と同様に、ユーザの所望のチャンネルの番組を表示させるための指令に対応して、チューナ３２、デコード処理部３３、および信号処理部３４を制御し、そのチャンネルの番組信号に対応する画像を表示部３５に表示させるとともに、音声をスピーカ３６から出力させる。
【０１６７】
また、MPU２１１は、通信部２１３から供給される、OSD画像の重畳の開始を表すOSD開始信号またはOSD画像の重畳の終了を表すOSD終了信号に対応して、画像処理部２２１に保護機能オフ信号を供給する。さらに、MPU２１１は、画像処理部２２１に保護機能オン信号を供給する。また、MPU２１１は、通信部２１３によりダウンロードされたプログラムや、ドライブ４１に装着されたリムーバブルメディア４２に記録されたプログラムを必要に応じて、記録部４０にインストールする。
【０１６８】
信号処理部２１２は、画像処理部２２１と音声処理部２２２により構成される。画像処理部２２１は、デコード処理部３３から供給される入力画像信号、または、通信部２１３から供給される番組信号のうちの画像信号（以下、受信画像信号という）に対して、連続する画像信号の中間の時刻における画像信号の補間、D/A変換などの処理を施す。信号処理部２１２は、その結果得られるアナログ信号である画像信号を、表示部３５に供給して、表示部３５に画像を表示させる。
【０１６９】
音声処理部２２２は、デコード処理部３３または通信部２１３から供給される番組信号のうちの音声信号に対して、D/A変換などを行い、その結果得られるアナログ信号である音声信号を、スピーカ３６に供給して、外部に音声を出力する。
【０１７０】
通信部２１３は、外部の記録再生装置２０２と接続され、記録再生装置２０２と通信を行う。例えば、通信部２１３は、記録再生装置２０２からOSD開始信号またはOSD終了信号を受信し、そのOSD開始信号またはOSD終了信号を、バス３７を介して信号処理部２１２の画像処理部２２１に供給する。また、通信部２１３は、記録再生装置２０２から番組信号を受信し、信号処理部２１２に供給する。さらに、通信部２１３は、図１や図８の通信部３９と同様に、図示せぬインターネットなどのネットワークを介して、各種のデータの送受信を行う。例えば、通信部２１３は、図示せぬサーバからネットワークを介して所定のプログラムをダウンロードし、MPU２１１に供給する。
【０１７１】
記録再生装置２０２は、例えば、DVD(Digital Versatile Disc)レコーダやハードディスクレコーダなどにより構成される。記録再生装置２０２は、ユーザの所望の番組の番組信号の電波を受信し、その番組信号をDVDやハードディスクなどの記録媒体に記録する。記録再生装置２０２は、ユーザの再生の指令に応じて、記録している番組信号を再生し、通信部２１３に送信する。
【０１７２】
また、記録再生装置２０２は、ユーザからのOSD画像の表示の開始または終了の指令に応じて、OSD開始信号またはOSD終了信号を通信部２１３に送信する。記録再生装置２０２は、OSD開始信号の送信後、再生した番組信号のうちの画像信号にOSD画像信号を重畳し、その結果得られる番組信号を、通信部２１３に送信する。
【０１７３】
次に、図１５を参照して、図１４の受信装置２０１における補間について説明する。
【０１７４】
なお、図１５において、図２や図９と同一のものには同一の符号を付してあり、説明は繰り返しになるので、適宜省略する。
【０１７５】
図１５の記録再生装置２０２は、チューナ２３１、記録再生部２３２、デコード部２３３、OSD重畳部２３４、入力部２３５、および制御部２３６により構成される。
【０１７６】
チューナ２３１は、制御部２３６の制御により、図示せぬ放送局から放射される番組信号の電波を受信して復調する。チューナ２３１は、復調の結果得られる番組信号を記録再生部２３２に供給して、記録させる。
【０１７７】
記録再生部２３２は、そこに装着されるDVDなどのリムーバブルメディアや、内蔵するハードディスクなどの記録媒体（図示せず）に、チューナ２３１から供給される番組信号を記録する。記録再生部２３２は、制御部２３６の制御により、記録している番組信号を読み出し、デコード部２３３に供給する。
【０１７８】
デコード部２３３は、制御部２３６の制御により、記録再生部２３２から供給される番組信号を所定の方式でデコードし、その結果得られる番組信号をOSD重畳部２３４に供給する。
【０１７９】
OSD重畳部２３４は、制御部２３６から供給されるOSD画像信号を、デコード部２３３から供給される番組信号のうちの画像信号に重畳する。OSD重畳部２３４は、その結果得られる番組信号、または、デコード部２３３から供給される番組信号そのものを、SCART端子を介した通信やHDMI（High-Definition Multimedia Interface）通信などにより、受信装置２０１の通信部２１３に送信する。
【０１８０】
入力部２３５は、例えば、図示せぬリモートコントローラから送信されてくる指令を受信する受信部、ボタン、キーボード、マウス、スイッチなどから構成され、ユーザからの指令を受け付ける。入力部２３５は、ユーザからの指令に応じて、各種の指令を制御部２３６に供給する。
【０１８１】
例えば、入力部２３５は、ユーザからの所望のチャンネルの番組の記録または再生の指令に応じて、その番組を記録または再生するための指令を制御部２３６に供給する。また、入力部２３５は、ユーザからのOSD画像の表示の開始または終了の指令に応じて、OSD画像の表示を開始または終了させるための指令を制御部２３６に供給する。
【０１８２】
制御部２３６は、入力部２３５から入力される指令などに対応して、各種の処理を実行する。例えば、制御部２３６は、ユーザの所望のチャンネルの番組を記録するための指令に対応して、チューナ２３１を制御し、その番組の番組信号を記録再生部２３２に記録させる。また、制御部２３６は、ユーザの所望のチャンネルの番組を再生するための指令に対応して、記録再生部２３２とデコード部２３３を制御し、その番組の番組信号を記録再生部２３２から再生する。
【０１８３】
さらに、制御部２３６は、OSD画像の表示の開始の指令に対応して、HDMI通信のCECライン(Consumer Electronics Control Line)やCENELEC（European Committee for Electrotechnical Standardization）においてEN-50157として規定されているAVリンク（AV Link）などにより、OSD開始信号を通信部２１３に送信し、その後、OSD画像信号をOSD重畳部２３４に供給する。また、制御部２３６は、OSD画像の表示の終了の指令に対応して、HDMI通信のCECラインやAVリンクなどにより、OSD終了信号を通信部２１３に送信し、その後、OSD画像信号の重畳の停止をOSD重畳部２３４に指令する。
【０１８４】
通信部２１３は、制御部２３６からOSD開始信号またはOSD終了信号を受信し、バス３７を介してMPU２１１に供給する。また、通信部２１３は、OSD重畳部２３４から番組信号を受信し、その番組信号のうちの受信画像信号を画像処理部１２１の補間処理部７２に供給し、音声信号を音声処理部２２２に供給する。MPU２１１は、OSD開始信号またはOSD終了信号に応じて、保護機能オフ信号を補間処理部７２に供給する。また、MPU２１１は、保護機能オン信号を補間処理部７２に供給する。
【０１８５】
なお、図示は省略するが、受信装置２０１における保護機能のオンまたはオフのタイミングは、図４に示した場合と同様である。即ち、図４Ａに示すように、入力部２３５から制御部２３６に指令が行われると、図４Ｂに示すように、OSD重畳部２３４における重畳が行われる。その結果、受信装置２０１では、図４Ｃに示すように、所定のフレームにおいて全体信頼度が低いと判定される可能性が生じるため、図４Ｄに示すように、所定の期間Ｔ1の間、保護機能がオフにされる。
【０１８６】
以上のように、記録再生装置２０２が、OSD画像信号の重畳の開始または終了前に、OSD開始信号またはOSD終了信号を受信装置２０１に送信するので、受信装置２０１は、OSD開始信号またはOSD終了信号に応じて保護機能をオフすることにより、OSD画像信号により全体信頼度が低いと判定される場合であっても、動きベクトルによる補間を行うことができる。従って、補間後の画像の画質を向上させることができる。
【０１８７】
次に、図１６を参照して、図１４の受信装置２０１における制御処理について説明する。この制御処理は、例えば、受信装置２０１の電源がオンにされたとき、開始される。
【０１８８】
ステップＳ１５１において、制御部２３６は、入力部２３５からOSD画像の表示の開始が指令されたかどうかを判定する。ステップＳ１５１において、OSD画像の表示の開始が指令されたと判定された場合、ステップＳ１５２において、制御部２３６は、OSD開始信号を受信装置２０１の通信部２１３に送信する。ステップＳ１５３において、制御部２３６は、送信が完了したかどうか、即ち、ステップＳ１５２の送信に対応して通信部２１３から正常に受信した旨を表す情報が送信されてきたかどうかを判定する。
【０１８９】
ステップＳ１５３において、送信が完了していないと判定された場合、処理はステップＳ１５２に戻り、ステップＳ１５３で送信が完了したと判定されるまで、OSD開始信号を繰り返して送信する。ステップＳ１５３において、送信が完了したと判定された場合、ステップＳ１５４において、制御部２３６は、OSD画像信号をOSD重畳部２３４に供給する。
【０１９０】
一方、ステップＳ１５１で、OSD画像の表示の開始が指令されていないと判定された場合、ステップＳ１５５において、制御部２３６は、入力部２３５からOSD画像の表示の終了が指令されたかどうかを判定する。ステップＳ１５５でOSD画像の表示の終了が指令されていないと判定された場合、処理はステップＳ１５１に戻り、上述した処理が繰り返される。
【０１９１】
ステップＳ１５５でOSD画像の表示の終了が指令されたと判定された場合、ステップＳ１５６において、制御部２３６はOSD終了信号を通信部２１３に送信する。ステップＳ１５７において、制御部２３６は、送信が完了したかどうかを判定し、送信が完了していないと判定した場合、処理はステップＳ１５６に戻り、ステップＳ１５７で送信が完了したと判定されるまで、OSD終了信号を繰り返して送信する。ステップＳ１５７において、送信が完了したと判定された場合、ステップＳ１５８において、制御部２３６は、OSD画像信号の重畳の停止をOSD重畳部２３４に指令する。
【０１９２】
ステップＳ１５４またはＳ１５８の処理後、ステップＳ１５９において、制御部２３６は、処理を終了するかどうか、例えば、入力部２３５から電源のオフが指令されたかどうかを判定する。ステップＳ１５９で処理を終了しないと判定された場合、処理はステップＳ１５１に戻り、上述した処理が繰り返される。一方、ステップＳ１５９で処理を終了すると判定された場合、処理は終了する。
【０１９３】
次に、図１７を参照して、記録再生装置２０２における送信処理について説明する。この送信処理は、例えば、記録再生部２３２から再生された番組信号がデコード部２３３に入力されたとき、開始される。
【０１９４】
ステップＳ１６１において、デコード部２３３は、記録再生部２３２から入力された番組信号をデコードし、その結果得られる番組信号をOSD重畳部２３４に供給する。ステップＳ１６２において、OSD重畳部２３４は、OSD画像信号の重畳が既に開始されているかどうかを判定し、OSD画像信号の重畳が開始されていないと判定した場合、処理はステップＳ１６３に進む。
【０１９５】
ステップＳ１６３において、OSD重畳部２３４は、OSD画像信号の重畳を開始するかどうか、即ち、図１６のステップＳ１５４で制御部２３６からOSD画像信号が供給されてきたかどうかを判定する。ステップＳ１６３でOSD画像信号の重畳を開始すると判定された場合、ステップＳ１６４において、OSD重畳部２３４は、デコード部２３３から供給される番組信号のうちの画像信号に取得済みのOSD画像信号を重畳し、処理はステップＳ１６８に進む。
【０１９６】
一方、ステップＳ１６２でOSD画像信号の重畳が開始されていると判定された場合、ステップＳ１６５において、OSD重畳部２３４は、OSD画像信号の重畳を停止するかどうか、即ち図１６のステップＳ１５８でOSD画像信号の重畳の停止が制御部２３６により指令されたかどうかを判定する。ステップＳ１６５で、OSD画像信号の重畳を停止すると判定された場合、ステップＳ１６６において、OSD重畳部２３４は、デコード部２３３から供給される番組信号のうちの画像信号へのOSD画像信号の重畳を徐々に停止し、処理はステップＳ１６８に進む。
【０１９７】
また、ステップＳ１６５において、OSD画像信号の重畳を停止しないと判定された場合、ステップＳ１６４において、OSD重畳部２３４は、上述したように、画像信号に取得済みのOSD画像信号を重畳し、処理はステップＳ１６８に進む。
【０１９８】
さらに、ステップＳ１６３でOSD画像信号の重畳を開始しないと判定された場合、ステップＳ１６７において、OSD重畳部２３４は、OSD画像信号の重畳の停止が完了しているかどうか、即ち前回の画像信号にOSD画像信号が全く重畳されていなかったかどうかを判定する。
【０１９９】
ステップＳ１６７において、OSD画像信号の重畳の停止が完了していないと判定された場合、ステップＳ１６６において、OSD重畳部２３４は、上述したように、画像信号へのOSD画像信号の重畳を徐々に停止し、処理はステップＳ１６８に進む。
【０２００】
一方、ステップＳ１６７でOSD画像信号の重畳の停止が完了したと判定された場合、処理はステップＳ１６８に進む。ステップＳ１６８において、OSD重畳部２３４は、重畳後の画像信号、重畳が徐々に停止されている画像信号、および、重畳されていない画像信号のいずれかを含む番組信号を、受信装置２０１の通信部２１３に送信して、処理を終了する。
【０２０１】
次に、図１８を参照して、受信装置２０１のMPU２１１における保護機能制御処理について説明する。この保護機能制御処理は、例えば、図１６のステップＳ１５２で送信されてくるOSD開始信号またはステップＳ１５６で送信されてくるOSD終了信号が、通信部２１３を介してMPU２１１に供給されたとき、開始される。
【０２０２】
ステップＳ１８１において、MPU２１１は、保護機能オフ信号を、バス３７を介して補間処理部７２の判定部８４に送信する。ステップＳ１８２において、MPU２１１は、ステップＳ１８１で保護機能オフ信号を送信してから、所定の期間Ｔ1が経過したかどうかを判定する。ステップＳ１８２で、所定の期間Ｔ1が経過していないと判定された場合、所定の期間Ｔ1が経過するまで待機する。また、ステップＳ１８２で、所定の期間Ｔ1が経過したと判定された場合、ステップＳ１８３において、MPU２１１は、保護機能オン信号を、バス３７を介して判定部８４に送信する。
【０２０３】
次に、図１９を参照して、画像処理部２２１における画像処理について説明する。この画像処理は、例えば、受信装置２０１の電源がオンにされたとき、開始される。
【０２０４】
ステップＳ１９１において、補間処理部７２の判定部８４は、図１８のステップＳ１８１でMPU２１１から送信されてくる保護機能オフ信号が受信されたかどうかを判定する。ステップＳ１９１で、保護機能オフ信号が受信されたと判定された場合、ステップＳ１９２において、判定部８４は保護機能をオフにし、処理はステップＳ１９５に進む。
【０２０５】
また、ステップＳ１９１において、保護機能オフ信号が受信されていないと判定された場合、ステップＳ１９３において、判定部８４は、図１８のステップＳ１８３でMPU２１１から送信されてくる保護機能オン信号が受信されたかどうかを判定する。ステップＳ１９３で、保護機能オン信号が受信されたと判定された場合、ステップＳ１９４において、判定部８４は保護機能をオンにし、処理はステップＳ１９５に進む。一方、ステップＳ１９３で保護機能オン信号が受信されていないと判定された場合、保護機能は変更されず、処理はステップＳ１９５に進む。
【０２０６】
ステップＳ１９５において、通信部２１３は、図１７のステップＳ１６８でOSD重畳部２３４から送信されてくる画像信号を受信画像信号として受信し、バス３７を介して補間処理部７２に供給する。ステップＳ１９６において、補間処理部７２は、受信画像信号に対して図７の補間処理を行う。
【０２０７】
ステップＳ１９７において、表示処理部７３は、補間処理部７２から供給される補間後の画像信号に対してD/A変換を行い、その結果得られるアナログ信号である画像信号を表示部３５に供給して、表示部３５にフレーム単位の画像を表示させる。そして処理は終了する。
【０２０８】
なお、上述した説明では、OSD画像信号の重畳の開始時と終了時に、所定の期間Ｔ1（Ｔ3）の間、保護機能をオフにさせたが、例えば、OSD画像内でのカーソルの移動時に、所定の期間の間、保護機能をオフにさせるようにしてもよい。
【０２０９】
即ち、図２０に示すように、前入力画像信号の画像３０１に、項目「明るさ」、「コントラスト」、・・・などからなるメニューのOSD画像３１１が重畳され、その項目「明るさ」にカーソル３１１Ａが重畳されている場合に、次のフレームの対象入力画像信号の画像３０２において、カーソル３１１Ａが項目「コントラスト」に移動されるとき、カーソル３１１Ａの移動により、画像３０２に新たにカーソル３１１Ａが出現したとして、全体信頼度の低い動きベクトルが検出されてしまうことがある。
【０２１０】
従って、受信装置１１（１０１，２０１）が、入力部３８（２３５）からのカーソル３１１Ａの移動の指令に応じて、所定の期間の間、保護機能をオフにすることにより、画像のガタツキを抑制し、補間後の画像信号の画質を向上させることができる。
【０２１１】
また、上述した説明では、連続する画像信号の中間の時刻における画像信号が補間されたが、中間の時刻に限らず、任意の時刻における画像信号が補間されるようにしてもよい。
【０２１２】
さらに、上述した説明では、保護機能は全画面ごとに設定されたが、所定の領域ごとに設定されるようにしてもよい。この場合、保護機能がオンにされているとき、その保護機能が設定されている領域の信頼度により、領域ごとに、動きベクトルによる補間の有無が決定される。
【０２１３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２１４】
また、本発明の実施の形態は、上述した実施の形態に限定されるものではなく、本発明の要旨を逸脱しない範囲において種々の変更が可能である。
【図面の簡単な説明】
【０２１５】
【図１】本発明を適用した受信装置の第１の実施の形態の構成例を示すブロック図である。
【図２】図１の受信装置における補間について説明するブロック図である。
【図３】図２の補間処理部の詳細構成例を示すブロック図である。
【図４】図１の受信装置における保護機能のオンまたはオフのタイミングについて説明するタイミングチャートである。
【図５】図１の受信装置における制御処理について説明するフローチャートである。
【図６】図１の受信装置における画像処理について説明するフローチャートである。
【図７】図６のステップＳ３３の補間処理の詳細について説明するフローチャートである。
【図８】本発明を適用した受信装置の第２の実施の形態の構成例を示すブロック図である。
【図９】図８の受信装置における補間について説明するブロック図である。
【図１０】図８の受信装置における保護機能のオンまたはオフのタイミングについて説明するタイミングチャートである。
【図１１】図８の受信装置における制御処理について説明するフローチャートである。
【図１２】図９のCPUにおけるポーリング処理について説明するブローチャートである。
【図１３】図８の受信装置における画像処理について説明するフローチャートである。
【図１４】本発明を適用した受信装置の第３の実施の形態の構成例を示すブロック図である。
【図１５】図１４の受信装置における補間について説明するブロック図である。
【図１６】図１４の受信装置における制御処理について説明するフローチャートである。
【図１７】記録再生装置における送信処理について説明するフローチャートである。
【図１８】図１４のMPUにおける保護機能制御処理について説明するフローチャートである。
【図１９】図１４の画像処理部における画像処理について説明するフローチャートである。
【図２０】OSD画像内でのカーソルの移動時について説明する図である。
【符号の説明】
【０２１６】
１１  受信装置，  ３１  MPU，  ３７  バス，  ７１  OSD重畳部，  ８２  検出部，  ８３  移動部，  ８４  判定部，  ８５  混合部，  １０１  受信装置，  １３１  OSD重畳部，  １３２  CPU，  １３２Ａ  ポート，  １４３  CPU，  ２０１  受信装置，  ２１１  MPU,  ２３４  OSD重畳部
【図１】
2008236678.tif 000003
【図２】
2008236678.tif 000004
【図３】
2008236678.tif 000005
【図４】
2008236678.tif 000006
【図５】
2008236678.tif 000007
【図６】
2008236678.tif 000008
【図７】
2008236678.tif 000009
【図８】
2008236678.tif 000010
【図９】
2008236678.tif 000011
【図１０】
2008236678.tif 000012
【図１１】
2008236678.tif 000013
【図１２】
2008236678.tif 000014
【図１３】
2008236678.tif 000015
【図１４】
2008236678.tif 000016
【図１５】
2008236678.tif 000017
【図１６】
2008236678.tif 000018
【図１７】
2008236678.tif 000019
【図１８】
2008236678.tif 000020
【図１９】
2008236678.tif 000021
【図２０】
2008236678.tif 000022
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
入力された時系列の画像信号である入力画像信号の動きベクトルを検出する検出手段と、
前記動きベクトルの信頼度の高低を判定する判定手段と、
前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、
前記入力画像信号に対する所定の画像信号の重畳の開始または終了の指令を受け付ける受付手段と
を備え、
前記検出手段は、前記重畳の開始または終了の指令が受け付けられた場合、前記所定の画像信号の重畳が開始または終了された前記入力画像信号の動きベクトルを検出し、
前記補間手段は、前記重畳の開始または終了の指令が受け付けられた場合、前記動きベクトルの信頼度によらず、前記動きベクトルに基づいて、前記入力画像信号間信号を補間して出力する
画像処理装置。
【請求項２】
前記重畳の開始または終了の指令が受け付けられた場合、前記入力画像信号に対する前記所定の画像信号の重畳を開始または終了する重畳手段
をさらに備える請求項１に記載の画像処理装置。
【請求項３】
前記判定手段は、前記動きベクトルの値が閾値より小さい場合、前記信頼度が高いと判定し、前記動きベクトルの値が閾値以上である場合、前記信頼度が低いと判定する
請求項１に記載の画像処理装置。
【請求項４】
前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定する
請求項１に記載の画像処理装置。
【請求項５】
前記受付手段と前記補間手段は、相互にバスを介して接続され、
前記受付手段は、前記重畳の開始または終了の指令を受け付けた場合、前記バスを介して、前記重畳が開始または終了される前に、前記補間手段による補間の抑制の停止を表す停止信号を前記補間手段に送信し、
前記補間手段は、前記受付手段から送信されてくる前記停止信号を受信した場合、前記動きベクトルの信頼度によらず、前記動きベクトルに基づいて、前記入力画像信号間信号を補間して出力する
請求項１に記載の画像処理装置。
【請求項６】
前記受付手段は、前記重畳の開始または終了の指令を受け付けた場合、前記重畳が開始または終了される前に、ポートを前記補間手段による補間の抑制の停止を表す状態にし、
前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力する
請求項１に記載の画像処理装置。
【請求項７】
入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理装置の画像処理方法において、
前記入力画像信号に対する所定の画像信号の重畳の開始または終了の指令を受け付け、
前記重畳の開始または終了の指令が受け付けられた場合、前記所定の画像信号の重畳が開始または終了された前記入力画像信号の動きベクトルを検出し、
前記重畳の開始または終了の指令が受け付けられた場合、前記動きベクトルの信頼度によらず、前記動きベクトルに基づいて、前記入力画像信号間信号を補間して出力する
ステップを含む画像処理方法。
【請求項８】
入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理を、コンピュータに行わせるプログラムにおいて、
前記入力画像信号に対する所定の画像信号の重畳の開始または終了の指令を受け付け、
前記重畳の開始または終了の指令が受け付けられた場合、前記所定の画像信号の重畳が開始または終了された前記入力画像信号の動きベクトルを検出し、
前記重畳の開始または終了の指令が受け付けられた場合、前記動きベクトルの信頼度によらず、前記動きベクトルに基づいて、前記入力画像信号間信号を補間して出力する
ステップを含むプログラム。
【請求項９】
入力された時系列の画像信号である入力画像信号の動きベクトルを検出する検出手段と、
前記動きベクトルの信頼度の高低を判定する判定手段と、
前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、
前記入力画像信号に対する所定の画像信号の重畳の開始または終了の指令を受け付ける受付手段と、
前記入力画像信号、前記前入力画像信号、または前記入力画像信号間信号に基づいて、画像を表示する表示手段と
を備え、
前記検出手段は、前記重畳の開始または終了の指令が受け付けられた場合、前記所定の画像信号の重畳が開始または終了された前記入力画像信号の動きベクトルを検出し、
前記補間手段は、前記重畳の開始または終了の指令が受け付けられた場合、前記動きベクトルの信頼度によらず、前記動きベクトルに基づいて、前記入力画像信号間信号を補間して出力する
画像表示装置。
【請求項１０】
前記重畳の開始または終了の指令が受け付けられた場合、前記入力画像信号に対する前記所定の画像信号の重畳を開始または終了する重畳手段
をさらに備える請求項９に記載の画像表示装置。
【請求項１１】
前記判定手段は、前記動きベクトルの値が閾値より小さい場合、前記信頼度が高いと判定し、前記動きベクトルの値が閾値以上である場合、前記信頼度が低いと判定する
請求項９に記載の画像表示装置。
【請求項１２】
前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定する
請求項９に記載の画像表示装置。
【請求項１３】
前記受付手段と前記補間手段は、相互にバスを介して接続され、
前記受付手段は、前記重畳の開始または終了の指令を受け付けた場合、前記バスを介して、前記重畳が開始または終了される前に、前記補間手段による補間の抑制の停止を表す停止信号を前記補間手段に送信し、
前記補間手段は、前記受付手段から送信されてくる前記停止信号を受信した場合、前記動きベクトルの信頼度によらず、前記動きベクトルに基づいて、前記入力画像信号間信号を補間して出力する
請求項９に記載の画像表示装置。
【請求項１４】
前記受付手段は、前記重畳の開始または終了の指令を受け付けた場合、前記重畳が開始または終了される前に、ポートを前記補間手段による補間の抑制の停止を表す状態にし、
前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力する
請求項９に記載の画像表示装置。
【手続補正３】
【補正対象書類名】明細書
【補正対象項目名】０００１
【補正方法】変更
【補正の内容】
【０００１】
本発明は、画像処理装置および画像処理方法、プログラム、並びに画像表示装置に関し、特に、補間前の画像信号に所定の画像信号が重畳される場合において、補間後の画像信号の画質を向上させることができるようにした画像処理装置および画像処理方法、プログラム、並びに画像表示装置に関する。
【手続補正４】
【補正対象書類名】明細書
【補正対象項目名】００１０
【補正方法】変更
【補正の内容】
【００１０】
本発明の第１の側面の画像処理装置は、入力された時系列の画像信号である入力画像信号の動きベクトルを検出する検出手段と、前記動きベクトルの信頼度の高低を判定する判定手段と、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、前記入力画像信号に対する所定の画像信号の重畳の開始または終了の指令を受け付ける受付手段とを備え、前記検出手段は、前記重畳の開始または終了の指令が受け付けられた場合、前記所定の画像信号の重畳が開始または終了された前記入力画像信号の動きベクトルを検出し、前記補間手段は、前記重畳の開始または終了の指令が受け付けられた場合、前記動きベクトルの信頼度によらず、前記動きベクトルに基づいて、前記入力画像信号間信号を補間して出力する。
【手続補正５】
【補正対象書類名】明細書
【補正対象項目名】００１１
【補正方法】変更
【補正の内容】
【００１１】
本発明の第１の側面の画像処理装置は、前記重畳の開始または終了の指令が受け付けられた場合、前記入力画像信号に対する前記所定の画像信号の重畳を開始または終了する重畳手段をさらに設けることができる。
【手続補正６】
【補正対象書類名】明細書
【補正対象項目名】００１２
【補正方法】変更
【補正の内容】
【００１２】
本発明の第１の側面の画像処理装置においては、前記判定手段は、前記動きベクトルの値が閾値より小さい場合、前記信頼度が高いと判定し、前記動きベクトルの値が閾値以上である場合、前記信頼度が低いと判定することができる。
【手続補正７】
【補正対象書類名】明細書
【補正対象項目名】００１３
【補正方法】変更
【補正の内容】
【００１３】
本発明の第１の側面の画像処理装置においては、前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定することができる。
【手続補正８】
【補正対象書類名】明細書
【補正対象項目名】００１４
【補正方法】変更
【補正の内容】
【００１４】
本発明の第１の側面の画像処理装置においては、前記受付手段と前記補間手段は、相互にバスを介して接続され、前記受付手段は、前記重畳の開始または終了の指令を受け付けた場合、前記バスを介して、前記重畳が開始または終了される前に、前記補間手段による補間の抑制の停止を表す停止信号を前記補間手段に送信し、前記補間手段は、前記受付手段から送信されてくる前記停止信号を受信した場合、前記動きベクトルの信頼度によらず、前記動きベクトルに基づいて、前記入力画像信号間信号を補間して出力することができる。
【手続補正９】
【補正対象書類名】明細書
【補正対象項目名】００１５
【補正方法】変更
【補正の内容】
【００１５】
本発明の第１の側面の画像処理装置においては、前記受付手段は、前記重畳の開始または終了の指令を受け付けた場合、前記重畳が開始または終了される前に、ポートを前記補間手段による補間の抑制の停止を表す状態にし、前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力することができる。
【手続補正１０】
【補正対象書類名】明細書
【補正対象項目名】００１６
【補正方法】変更
【補正の内容】
【００１６】
本発明の第１の側面の画像処理方法は、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理装置の画像処理方法において、前記入力画像信号に対する所定の画像信号の重畳の開始または終了の指令を受け付け、前記重畳の開始または終了の指令が受け付けられた場合、前記所定の画像信号の重畳が開始または終了された前記入力画像信号の動きベクトルを検出し、前記重畳の開始または終了の指令が受け付けられた場合、前記動きベクトルの信頼度によらず、前記動きベクトルに基づいて、前記入力画像信号間信号を補間して出力するステップを含む。
【手続補正１１】
【補正対象書類名】明細書
【補正対象項目名】００１７
【補正方法】変更
【補正の内容】
【００１７】
本発明の第１の側面のプログラムは、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理を、コンピュータに行わせるプログラムにおいて、前記入力画像信号に対する所定の画像信号の重畳の開始または終了の指令を受け付け、前記重畳の開始または終了の指令が受け付けられた場合、前記所定の画像信号の重畳が開始または終了された前記入力画像信号の動きベクトルを検出し、前記重畳の開始または終了の指令が受け付けられた場合、前記動きベクトルの信頼度によらず、前記動きベクトルに基づいて、前記入力画像信号間信号を補間して出力するステップを含む。
本発明の第２の側面の画像表示装置は、入力された時系列の画像信号である入力画像信号の動きベクトルを検出する検出手段と、前記動きベクトルの信頼度の高低を判定する判定手段と、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する補間手段と、前記入力画像信号に対する所定の画像信号の重畳の開始または終了の指令を受け付ける受付手段と、前記入力画像信号、前記前入力画像信号、または前記入力画像信号間信号に基づいて、画像を表示する表示手段とを備え、前記検出手段は、前記重畳の開始または終了の指令が受け付けられた場合、前記所定の画像信号の重畳が開始または終了された前記入力画像信号の動きベクトルを検出し、前記補間手段は、前記重畳の開始または終了の指令が受け付けられた場合、前記動きベクトルの信頼度によらず、前記動きベクトルに基づいて、前記入力画像信号間信号を補間して出力する。
本発明の第２の側面の画像表示装置は、前記重畳の開始または終了の指令が受け付けられた場合、前記入力画像信号に対する前記所定の画像信号の重畳を開始または終了する重畳手段をさらに設けることができる。
本発明の第２の側面の画像表示装置においては、前記判定手段は、前記動きベクトルの値が閾値より小さい場合、前記信頼度が高いと判定し、前記動きベクトルの値が閾値以上である場合、前記信頼度が低いと判定することができる。
本発明の第２の側面の画像表示装置においては、前記判定手段は、前記入力画像信号と前記前入力画像信号の差分に基づいて、前記入力画像信号がシーンの切り替わり時の画像信号であるかどうかを判定し、前記入力画像信号がシーンの切り替わり時の画像信号ではないと判定した場合、前記信頼度が高いと判定し、前記入力画像信号がシーンの切り替わり時の画像信号であると判定した場合、前記信頼度が低いと判定することができる。
本発明の第２の側面の画像表示装置においては、前記受付手段と前記補間手段は、相互にバスを介して接続され、前記受付手段は、前記重畳の開始または終了の指令を受け付けた場合、前記バスを介して、前記重畳が開始または終了される前に、前記補間手段による補間の抑制の停止を表す停止信号を前記補間手段に送信し、前記補間手段は、前記受付手段から送信されてくる前記停止信号を受信した場合、前記動きベクトルの信頼度によらず、前記動きベクトルに基づいて、前記入力画像信号間信号を補間して出力することができる。
本発明の第２の側面の画像表示装置においては、前記受付手段は、前記重畳の開始または終了の指令を受け付けた場合、前記重畳が開始または終了される前に、ポートを前記補間手段による補間の抑制の停止を表す状態にし、前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力することができる。
【手続補正１２】
【補正対象書類名】明細書
【補正対象項目名】００１８
【補正方法】変更
【補正の内容】
【００１８】
本発明の第１の側面においては、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理が行われる。なお、前記入力画像信号に対する所定の画像信号の重畳の開始または終了の指令が受け付けられた場合、前記所定の画像信号の重畳が開始または終了された前記入力画像信号の動きベクトルが検出され、前記重畳の開始または終了の指令が受け付けられた場合、前記動きベクトルの信頼度によらず、前記動きベクトルに基づいて、前記入力画像信号間信号が補間されて出力される。
本発明の第２の側面においては、入力された時系列の画像信号である入力画像信号の動きベクトルを検出し、前記動きベクトルの信頼度の高低を判定し、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し、前記動きベクトルの信頼度が低い場合、前記前入力画像信号を、そのまま前記入力画像信号間信号として出力する画像処理が行われ、前記入力画像信号、前記前入力画像信号、または前記入力画像信号間信号に基づいて、画像が表示される。なお、前記入力画像信号に対する所定の画像信号の重畳の開始または終了の指令が受け付けられた場合、前記所定の画像信号の重畳が開始または終了された前記入力画像信号の動きベクトルが検出され、前記重畳の開始または終了の指令が受け付けられた場合、前記動きベクトルの信頼度によらず、前記動きベクトルに基づいて、前記入力画像信号間信号が補間されて出力される。
【手続補正１３】
【補正対象書類名】明細書
【補正対象項目名】００１９
【補正方法】変更
【補正の内容】
【００１９】
以上のように、本発明によれば、補間前の画像信号に所定の画像信号が重畳される場合において、補間後の画像信号の画質を向上させることができる。
【手続補正１４】
【補正対象書類名】明細書
【補正対象項目名】００２１
【補正方法】変更
【補正の内容】
【００２１】
本発明の第１の側面の画像処理装置（例えば、図１の受信装置１１）は、
入力された時系列の画像信号である入力画像信号の動きベクトルを検出する検出手段（例えば、図３の検出部８２）と、
前記動きベクトルの信頼度(例えば、全体信頼度)の高低を判定する判定手段（例えば、図３の判定部８４）と、
前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号（例えば、補間信号）を補間して出力し、前記動きベクトルの信頼度が低い場合、前記前入力画像信号を、そのまま前記入力画像信号間信号として出力する補間手段(例えば、図３の移動部８３および混合部８５)と、
前記入力画像信号に対する所定の画像信号（例えば、OSD画像信号）の重畳の開始または終了の指令を受け付ける受付手段（例えば、図２のMPU３１）と
を備え、
前記検出手段は、前記重畳の開始または終了の指令が受け付けられた場合、前記所定の画像信号の重畳が開始または終了された前記入力画像信号の動きベクトルを検出し、
前記補間手段は、前記重畳の開始または終了の指令が受け付けられた場合、前記動きベクトルの信頼度によらず、前記動きベクトルに基づいて、前記入力画像信号間信号を補間して出力する。
【手続補正１５】
【補正対象書類名】明細書
【補正対象項目名】００２２
【補正方法】変更
【補正の内容】
【００２２】
本発明の第１の側面の画像処理装置は、
前記重畳の開始または終了の指令が受け付けられた場合、前記入力画像信号に対する前記所定の画像信号の重畳を開始または終了する重畳手段（例えば、図２のOSD重畳部７１）
をさらに備える。
【手続補正１６】
【補正対象書類名】明細書
【補正対象項目名】００２３
【補正方法】変更
【補正の内容】
【００２３】
本発明の第１の側面の画像処理装置においては、
前記受付手段と前記補間手段は、相互にバス（例えば、図２のバス３７）を介して接続され、
前記受付手段は、前記重畳の開始または終了の指令を受け付けた場合、前記バスを介して、前記重畳が開始または終了される前に、前記補間手段による補間の抑制の停止を表す停止信号を前記補間手段に送信し、
前記補間手段は、前記受付手段から送信されてくる前記停止信号を受信した場合、前記動きベクトルの信頼度によらず、前記動きベクトルに基づいて、前記入力画像信号間信号を補間して出力する。
【手続補正１７】
【補正対象書類名】明細書
【補正対象項目名】００２４
【補正方法】変更
【補正の内容】
【００２４】
本発明の第１の側面の画像処理装置においては、
前記受付手段は、前記重畳の開始または終了の指令を受け付けた場合、前記重畳が開始または終了される前に、ポート（例えば、図９のポート１３２Ａ）を前記補間手段による補間の抑制の停止を表す状態にし、
前記補間手段は、ポーリングにより、前記重畳が開始または終了される前に前記ポートの状態を確認し、そのポートの状態が前記補間手段による補間の抑制の停止を表す状態である場合、前記動きベクトルの信頼度によらず、前記動きベクトルに基づいて、前記入力画像信号間信号を補間して出力する。
【手続補正１８】
【補正対象書類名】明細書
【補正対象項目名】００２５
【補正方法】変更
【補正の内容】
【００２５】
本発明の第１の側面の画像処理方法は、
入力された時系列の画像信号である入力画像信号の動きベクトルを検出し（例えば、図７のステップＳ５３）、前記動きベクトルの信頼度の高低を判定し(例えば、図７のステップＳ５７)、前記動きベクトルの信頼度が高い場合、前記動きベクトルに基づいて、前記入力画像信号と、その入力画像信号の１つ前の入力画像信号である前入力画像信号の間の任意の時刻における画像信号である入力画像信号間信号を補間して出力し（例えば、図７のステップＳ５８，Ｓ５９、およびＳ６２）、前記動きベクトルの信頼度が低い場合、前記前入力画像信号を、そのまま前記入力画像信号間信号として出力する（例えば、図７のステップＳ６０とＳ６１）画像処理装置(例えば、図１の受信装置１１)の画像処理方法において、
前記入力画像信号に対する所定の画像信号の重畳の開始または終了の指令を受け付け(例えば、図５のステップＳ１１)、
前記重畳の開始または終了の指令が受け付けられた場合、前記所定の画像信号の重畳が開始または終了された前記入力画像信号の動きベクトルを検出し（例えば、図７のステップＳ５３）、
前記重畳の開始または終了の指令が受け付けられた場合、前記動きベクトルの信頼度によらず、前記動きベクトルに基づいて、前記入力画像信号間信号を補間して出力する(例えば、図７のステップＳ５８)
ステップを含む。
【手続補正１９】
【補正対象書類名】明細書
【補正対象項目名】００６７
【補正方法】変更
【補正の内容】
【００６７】
図４Ａに示すように、デコーダ６１から供給される、例えば第１の入力画像信号のフレーム期間内の時刻ｔ1において、入力部３８からMPU３１にバス３７を介して、OSD画像の表示の開始の指令が供給されると、第１の入力画像信号の次のフレームの第２の入力画像信号が補間処理部７２に入力される時刻ｔ2において、MPU３１は、保護機能オフ信号を、バス３７を介して補間処理部７２に供給する。
【手続補正２０】
【補正対象書類名】明細書
【補正対象項目名】００７５
【補正方法】変更
【補正の内容】
【００７５】
次に、図４Ａに示すように、デコーダ６１から供給される、例えば第１１の入力画像信号のフレーム期間内の時刻ｔ6において、入力部３８からMPU３１にバス３７を介して、OSD画像の表示の終了の指令が供給されると、OSD画像の表示の開始の場合と同様の処理が行われる。具体的には、第１１の入力画像信号の次のフレームの第１２の入力画像信号が補間処理部７２に入力される時刻ｔ7において、MPU３１は、保護機能オフ信号を、バス３７を介して補間処理部７２に供給する。
【手続補正２１】
【補正対象書類名】明細書
【補正対象項目名】０１２４
【補正方法】変更
【補正の内容】
【０１２４】
CPU１３２は、MPU１１１のポート１４１Ａ(後述する)と接続されるポート１３２Ａを有している。CPU１３２は、入力部３８からバス３７を介して供給される、OSD画像の表示の開始の指令に応じて、ポート１３２Ａを制御し、ポート１３２Ａの状態を保護機能オフ状態に変更し、その後、OSD画像信号の重畳の開始の指令をOSD重畳部１３１に供給する。また、CPU１３２は、入力部３８から供給されるOSD画像の表示の終了の指令に応じて、ポート１３２Ａの状態を保護機能オフ状態に変更し、その後、OSD画像信号の重畳の停止の指令をOSD重畳部１３１に供給する。